(57)【要約】カテーテル装置が開示され、心臓弁（６）に位置づけるための管腔および遠心端を備えた細長いシース（５０３）、上行大動脈から下行大動脈へ塞栓の砕片の偏向のために大動脈弓に一時的に位置づけるための塞栓保護装置（２００）を含み、該塞栓保護装置は接続点（１３１）から近位へ伸びる経血管送達ユニット（１３０）に連結可能であり、周囲を備えたフレーム、塞栓の粒子が前記大動脈弓の側部脈管へ血流で大動脈弁を通って下流に患者の脳へ送達し、かつ前記大動脈弓に前記カテーテルから延びる組織並置保持ユニット（３００、３５０）を保持する少なくとも１つの前記周囲内の血液浸透性ユニットおよび前記塞栓防御デバイスの前記接続点に対してオフセットした力の適用のための保持点（５０２）で前記塞栓防御デバイスに付けられる前記周囲内の血液浸透性ユニットであって、塞栓粒子が前記大動脈弓の側部脈管内の大動脈弁下流への血流と共に該血液浸透性ユニットを通って患者の脳へ到達するのを防ぐための血液浸透性ユニット、および前記カテーテルから前記大動脈弓に延びる組織並置保持ユニット（３００、３５０）を有し、前記塞栓防御デバイスの前記接続点への安定化力オフセットの適用のために保持点（５０２）で前記塞栓防御デバイスに付けられ、前記カテーテル装置が、前記大動脈弓の内壁への前記周囲の組織並置が安定化および周辺の密閉の改善のために前記力に支援されるように前記大動脈弓の中で位置するときに、前記塞栓防御デバイスは、前記周囲などで、前記心臓から遠位状に、および前記周囲の縦の伸長に垂直な方向に前記大動脈弓の内壁に向かって前記安定化力を提供する。加えて、関連する方法が開示される。【選択図】図１６ｃ
2017516609.tif 000002
【特許請求の範囲】
【請求項１】
カテーテル装置（２，５００）であって、該カテーテル装置は、
心臓弁（６）に位置づけるための管腔、遠位端を備えた細長く延びたシース（５０３）、上行大動脈から下行大動脈へ塞栓の砕片の偏向のために大動脈弓に一時的に位置づけるための塞栓防御デバイス（２００）、を含み、
前記塞栓防御デバイスは接続点（１３１）から近位状に伸びる経血管送達ユニット（１３０）に連結可能であり、
周囲を備えたフレーム、
塞栓の粒子が大動脈弓の側部脈管への大動脈弁の下流の血流と共にそこを通って患者の脳へ通過するのを防ぐための周囲内の血液浸透性ユニット、
および、カテーテルから前記大動脈弓に延びる少なくとも１つの組織並置保持ユニット（３００、３５０）であって、前記カテーテル装置が前記大動脈弓に位置づけられたとき、前記周囲などにおいて、前記塞栓防御デバイスにおける接続点に対してオフセットする安定化力の適用のために、及び心臓から離れて、前記周囲の長手方向の延伸に対して垂直な方向に、前記大動脈弓の内壁に向かって安定化力を提供するために、前記保持点（５０２）において前記塞栓防御デバイスに取り付けられ、その結果、大動脈弓の内壁への前記周囲の組織並置が、安定および辺縁の密閉の改善のために前記安定化力によって支持された少なくとも１つの組織並置保持ユニット（３００、３５０）を有してなる、
ことを特徴とするカテーテル装置。
【請求項２】
前記安定化力は牽引力を含み、並置保持ユニットが、前記牽引力を提供するために前記フレーム、周囲および／または血液浸透性ユニットなどに、前記接続点に対してオフセットする保持点で遠位状に接続された少なくとも１つの操作可能なテザー（３００）を接続している、請求項１に記載のカテーテル装置。
【請求項３】
前記機械的な組織並置ユニットは押圧ユニット（３５０）を含み、前記力が押圧力を提供し、前記周囲を前記内壁に押し付けるために、前記フレーム、周囲および／または前記血液浸透性ユニットに対する押圧力を含んでなる請求項１または２に記載のカテーテル装置。
【請求項４】
前記少なくとも１つのテザーあるいは押圧ユニットが長手方向に弾性であり、これによって前記力は、前記組織並置を維持しながら前記塞栓防御デバイスに対する大動脈弓の生理的な動作を補償するために可変である請求項２または３に記載のカテーテル装置。
【請求項５】
前記血液浸透性ユニットは少なくとも１つのガイドユニットを有し、該ガイドユニットの遠位端でテザー又は押圧ユニットを近位状に受け取り、前記ガイドユニットが前記血液浸透性ユニット、フランジ、又は周囲に取り付けられる請求項２乃至４のいずれかに記載のカテーテル装置。
【請求項６】
前記塞栓防御デバイスは前記テザー又は押圧ユニットの遠位端が接続される付着点と、随意に前記付着点で放射線不透過性の標準マーカーを有する請求項２乃至４のいずれかに記載のカテーテル装置。
【請求項７】
手術中に前記テザーは心門を介して選択された側部脈管に近位状に延び、その結果前記牽引力が前記心門に関して前記装置を中心化し、適所にデバイスをロックするために前記内壁に対して装置を引き、これによって装置は、前記選択された側部脈管の心門に関して自己整合している請求項２乃至６のいずれかに記載のカテーテル装置。
【請求項８】
前記周囲に沿って遠位状に付けられた多数のテザーを含んでいる請求項２乃至７のいずれかに記載のカテーテル装置。
【請求項９】
前記フレームは、前記周囲において異なる関節の間に伸びる少なくとも１つのリブを含み、前記テザーあるいは押圧ユニットは前記リブに遠位状に付けられる請求項２乃至８のいずれかに記載のカテーテル装置。
【請求項１０】
前記異なる関節は対向する関節である請求項９に記載のカテーテル装置。
【請求項１１】
前記リブは前記血液浸透性ユニットを超えて近位状に伸びるヨークである請求項９または１０に記載のカテーテル装置。
【請求項１２】
前記ヨークは、少なくとも前記塞栓防御デバイスの少なくとも一部の長手方向に伸びている請求項１１に記載のカテーテル装置。
【請求項１３】
多数のテザーを含むか、多数のストランドに分割する単一のテザーを含む請求項２乃至１２のいずれかに記載のカテーテル装置。
【請求項１４】
前記２つのテザーあるいはストランドが、前記塞栓防御デバイスの基部からＹ形状で前記周囲に遠位状に付けられる請求項１３に記載のカテーテル装置。
【請求項１５】
少なくとも１つの小環を含み、前記テザー又は押圧ユニットの１以上は、少なくとも１つの小環を介して糸が通される請求項２乃至１４のいずれかに記載のカテーテル装置。
【請求項１６】
１以上前記テザーは、前記装置の基部の枢動点において少なくとも１つの小環を介して糸が通される請求項１５に記載のカテーテル装置。
【請求項１７】
定義された有孔性あるいは穴部を備えた平坦な膜などの前記血液浸透性ユニットは柔軟であり、前記テザーあるいは押圧強いユニットが前記膜に遠位状に付けられ、その結果、牽引力あるいは押圧力は、適用された時、前記膜の面から前記膜を上昇させる請求項２または３に記載のカテーテル装置。
【請求項１８】
前記牽引力あるいは押圧力は、適用された時、前記膜の面から前記膜を上昇させ、前記膜の火山形状が前記テザー又は前記押圧ユニットの前記膜に対する付着位置で提供される請求項１７に記載のカテーテル装置。
【請求項１９】
前記牽引ユニットあるいは押圧ユニットは、前記牽引力あるいは押圧力の提供のために、受動的牽引ユニットを含んでいる請求項２乃至１８のいずれかに記載のカテーテル装置。
【請求項２０】
前記受動的牽引ユニット又は押圧ユニットはバネまたは形状記憶要素である請求項１９に記載のカテーテル装置。
【請求項２１】
前記周囲がフレームから放射状に外へ伸びるフランジユニットを含む請求項１乃至２０のいずれかに記載のカテーテル装置。
【請求項２２】
前記フランジユニットは予め張力のために前記血液浸透性ユニットの面に対して角度が付けられ、該予め張力に対して安定化力が提供され得る請求項２１に記載のカテーテル装置。
【請求項２３】
前記組織並置保持ユニットは磁気要素を含み、安定化力が磁力を含む請求項１乃至２２のいずれかに記載のカテーテル装置。
【請求項２４】
前記押圧ユニットは、前記塞栓防御デバイスの保持点と前記カテーテル上の遠位接続点（５０１）との間で接続された遠位ガイド要素（３５０）を含み、そして、前記遠位ガイド要素は、塞栓防御デバイスが折り畳まれ、実質的に前記カテーテルのシースに一致する送達状態と、塞栓防御装置が拡張する展開状態とを有し、それによって前記周囲は、大動脈弓の内壁との実質的に並置状態にあり、それによって、前記送達状態から前記展開状態に移動すると、前記遠位ガイド要素は塞栓防御デバイスを前記内壁に向けてガイドする請求項１乃至２３のいずれかに記載のカテーテル装置。
【請求項２５】
前記遠位ガイド要素は、前記保持点で前記塞栓防御デバイスの遠位部分に接続される請求項２４に記載のカテーテル装置。
【請求項２６】
前記遠位のガイド要素は形状記憶材料を含み、束縛されていない場合に展開した状態に向かおうとすることにより、前記送達状態から展開した状態に弾力的に、移動可能である請求項２４または２５に記載のカテーテル装置。
【請求項２７】
前記遠位ガイド要素は前記送達ユニットの押圧動作によって、前記送達状態から展開した状態に移動可能である請求項２４乃至２６のいずれかに記載のカテーテル装置。
【請求項２８】
前記遠位ガイド要素は、前記遠位の接続点のまわりで枢動自在に移動可能である請求項２４乃至２７いずれかに記載のカテーテル装置。
【請求項２９】
前記遠位のガイド要素は、前記カテーテルに対する前記塞栓防御デバイスのための支持支柱として形成される請求項２４乃至２８のいずれかに記載のカテーテル装置。
【請求項３０】
前記塞栓防御デバイスが展開可能な開口部（５０４）を含む請求項２４乃至２９のいずれかに記載のカテーテル装置。
【請求項３１】
前記開口部は、前記シースの長手方向の前記塞栓防御デバイスの長さに実質的に沿って伸びる請求項３０に記載のカテーテル装置。
【請求項３２】
前記塞栓防御デバイスは、前記送達ユニットの遠位方向の押圧によって前記開口部から送達し得、これによって前記遠位のガイド要素は、前記壁に対してフレームをガイド及び支援するために展開した状態を仮定する請求項３０または３１に記載のカテーテル装置。
【請求項３３】
前記塞栓防御デバイスのために長手方向の区画（５０５）を含む請求項１乃至３２のいずれかに記載のカテーテル装置。
【請求項３４】
前記塞栓防御デバイスは、前記長手方向の区画において予め設けられている請求項３３に記載のカテーテル装置。
【請求項３５】
前記塞栓防御デバイスは前記開口部を介して前記区画内の圧縮した形状から移動可能である請求項３０及び３３又は３４に記載のカテーテル装置。
【請求項３６】
前記シースにおいて移動可能な長手方向の拡張器（５０６）を含み、前記長手方向の区画は、前記長手方向の拡張器中に配列される請求項３３乃至３５のいずれかに記載のカテーテル装置。
【請求項３７】
前記開口部は、前記シース中で配列され、そして、近位方向に前記縦の拡張器を引っ込ませるとき、塞栓防御デバイスは前記開口部を介して前記長手方向の区画から押し出すことができる請求項３６に記載のカテーテル装置。
【請求項３８】
前記シースの半径方向外側に外部抑制シース（５０７）を含み、圧縮した形状で塞栓防御デバイスを抑制するのに適し、塞栓防御デバイスを展開した状態に解放するために伸縮自在である請求項１乃至３７のいずれかに記載のカテーテル装置。
【請求項３９】
前記シースの半径方向外側に外部抑制シース（５０７）を含み、圧縮した形状で前記塞栓防御デバイスを抑制するのに適し、および展開した状態に前記塞栓防御デバイスを解放するために近位方向に伸縮自在である。
これによって前記遠位のガイド要素は、前記壁に対してフレームをガイド及び支援するために展開した状態を仮定する請求項１乃至３７のいずれかに記載のカテーテル装置。
【請求項４０】
中心化ユニット（５０８、５０８'）を含み、前記上行大動脈のカテーテルを中心化するのに適し、前記中心化ユニットは放射状に拡張可能な構造を含む請求項１乃至３８のいずれかに記載のカテーテル装置。
【請求項４１】
前記放射状に拡張可能な構造は膨張可能なバルーンを含む請求項４０に記載のカテーテル装置。
【請求項４２】
前記膨張可能なバルーンは、前記カテーテルの放射状の外周のまわりで周辺に配置された複数の膨張可能な要素（５０９、５０９´、５０９"）を含む請求項４１に記載のカテーテル装置。
【請求項４３】
前記複数の膨張可能な要素は、個々に独立して膨張可能である請求項４２に記載のカテーテル装置。
【請求項４４】
前記放射状に拡張可能な構造は形状記憶材料を含み、拘束がない場合に展開した状態向かおうとすることにより圧縮した抑制された形状から拡張した展開した状態に弾力的に移動可能であり、形状記憶材料は、前記上行大動脈のカテーテルを中心化するために展開した状態で前記カテーテルの放射状周囲の周りの周辺に配置される請求項４０に記載のカテーテル装置。
【請求項４５】
前記カテーテルは遠位の中心化ユニット（５０８'、５０８）を含み、前記上行大動脈のカテーテルを中心化するのに適し、および、前記下行大動脈のカテーテルを中心化する前記近位の中心化ユニットは放射状に拡張可能な構造を含む請求項４０乃至４４のいずれかに記載のカテーテル装置。
【請求項４６】
患者の心臓弁領域への医療機器の経血管送達のため又はその電気生理学処置若しくは剥離処置など処置用の器具を安定させるための請求項１乃至４５のいずれかに記載のカテーテル装置の使用。
【請求項４７】
大動脈弓中のカテーテル装置（５００）の位置を決める方法（９００）であって、該方法は、
大動脈弓における、偏向板および／またはフィルターのような塞栓防御デバイス（２００）を経血管状に送達する工程（９０１）を含み、
前記塞栓防御デバイスは塞栓防御デバイスの接続点（１３１）から近位に伸びる経血管送達ユニット（１３０）に接続され、前記方法は、
前記大動脈弓において塞栓防御デバイスを位置決めする工程（９０２）、
デバイスのフレームを拡大する工程（９０３）、
前記大動脈弓における血液浸透性ユニットを平坦にする工程、
側部脈管に入って、粒子が患者の脳まで到達するのを防ぐために頚動脈を少なくとも含む側部脈管の心門を覆うように前記塞栓防御デバイスの周囲に前記大動脈弓の内壁との並置をもたらす工程（９０４）、および
前記カテーテルから前記大動脈弓に伸びる少なくとも１つの組織並置保持ユニット（３００、３５０）によって安定化力を加える工程（９０５）を含み、
前記保持点（５０２）で前記塞栓防御デバイスに付けられ、
前記力は、前記周囲でのように前記塞栓防御デバイスの前記接続点に対してオフセットして適用され、
前記カテーテル装置が前記大動脈弓中に位置づけられるとき、前記大動脈弓の内壁への前記安定化力を提供する前記大動脈弓の内壁に向かって、前記心臓から離れ、前記周囲の長手方向に垂直な方向に向けられ、その結果、安定および辺縁の密閉の改善のために、前記大動脈弓の内壁への前記周囲の組織並置が前記安定化力によって支持されてなる大動脈弓中のカテーテル装置（５００）の位置を決める方法（９００）。
【請求項４８】
前記支持された並置が前記大動脈弓の前記内壁への前記周囲の並置を改善し、その結果、改善された並置は、前記内壁に対する前記周囲の改善された密閉を提供する請求項４７に記載の方法。
【請求項４９】
前記改善された密閉のために、装置に対して実質的に近位方向に前記安定化力を加える工程を含む請求項４７または４８に記載の方法。
【請求項５０】
前記安定化力を加える工程は牽引引ユニットによって牽引力を適用する工程を含んでいる請求項４７乃至４９のいずれかに記載の方法。
【請求項５１】
前記大動脈弓中の適所に装置をロックするために前記牽引力によって前記内壁に対して心臓から離れるように前記装置の周囲を引く工程を含んでいる請求項５０に記載の方法。
【請求項５２】
前記牽引力の提供のために前記フレーム、周囲および／または血液浸透性ユニットに遠位状に接続された少なくとも１つのテザーによって前記牽引力を適用する請求項５０に記載の方法。
【請求項５３】
前記塞栓防御デバイスは、右鎖骨下動脈から腕頭動脈、左頚動脈、左鎖骨下動脈又は大腿部のアプローチにより、若しくは上行大動脈を介するような下行大動脈のような前記側部脈管の１つを介して前記大動脈弓に送達される請求項４７乃至５２のいずれかに記載の方法。
【請求項５４】
前記押圧力を適用する工程は、前記塞栓防御デバイス折り畳まれた状態から展開した状態にガイドする工程（９０７）を含み、前記塞栓防御デバイスは前記塞栓防御装デバイスの保持点と前記カテーテル上の遠位の接続点（５０１）の間に接続された遠位のガイド要素（３５０）によって、大動脈弓の内壁との並置に広げられる請求項４７乃至５３のいずれかに記載の方法。
【請求項５５】
前記遠位ガイド要素によって前記フレームの遠位端を支持する工程（９０８）を含む請求項５４に記載の方法。
【請求項５６】
前記送達ユニットによって前記カテーテル中の長手方向の区画（５０５）から塞栓防御デバイスを押し出す工程（９０９）を含み、これによって、前記遠位のガイド要素は、前記壁に対してフレームをガイドし、支持するために展開した状態を仮定する請求項５５に記載の方法。
【請求項５７】
長手方向の区画（５０５）から塞栓防御デバイスを押し出す工程（９１０）を含み、塞栓防御デバイスは拡張器（５０６）の中に配列され、および前記長手方向の拡張器を近位の方向に引っ込ませたときに前記カテーテル内で移動可能である請求項５５に記載の方法。
【請求項５８】
放射状に拡張可能な構造を含む、中心化ユニット（５０８'、５０８、５０９、５０９´、５０９"）によって前記上行大動脈のカテーテルを中心化する工程（９１１）を含む請求項４７乃至５７のいずれかに記載の方法。
【請求項５９】
前記カテーテルの放射状の外周のまわりで周辺に配置された、複数の膨張可能な要素（５０９、５０９´、５０９"）でカテーテルを中心化する工程（９１２）を含む請求項４７乃至５７のいずれかに記載の方法。
【請求項６０】
拘束がない場合に展開した状態に向かおうとすることにより圧縮した抑制された形状から拡張した展開した状態に弾力的に移動可能である形状記憶材料によって前記カテーテルを中心化する工程（９１３）を含み、形状記憶材料は、前記上行大動脈のカテーテルを中心化するために展開した状態で前記カテーテルの放射状周囲の周りの周辺に配置される請求項５８に記載の方法。
【請求項６１】
患者の心臓弁領域への医療機器の経血管送達（９１４）を含むか、その電気生理学処置（９１５）あるいは剥離処置（９１６）による処置などの処置用の器具を安定させる請求項４７乃至６０のいずれかに記載の方法。
【請求項６２】
大動脈弓中を流れる塞栓がその側枝脈管に入るのを防ぐ方法（１０００）であって、該方法が、
前記大動脈弓に塞栓防御デバイスを進める工程（１００１）、及び
側枝脈管の各々の心門を覆うように、防御装置を操作する工程（１００２）、
その周囲で前記塞栓防御デバイスを密閉して改善するために前記防御装置に力を加える工程（１００３）を含み、
前記塞栓防御装置の遠位の保持する点とカテーテル上の遠位の接続点（５０１）の間で接続された遠位のガイド要素（３５０）によって前記塞栓防御デバイスにおける接続点に対してオフセットした力を加える工程を含み、
前記塞栓防御デバイスは、側枝脈管の各々への大動脈弓からの血流を許すが、塞栓が大動脈弓の管腔を妨害せずに、第１及び第２の側枝脈管が入るのを防ぐ大動脈弓中を流れる塞栓がその側枝脈管に入るのを防ぐ方法（１０００）。
【請求項６３】
心臓上で血管内の処置を実行するための方法（１１００）であって、
前記方法は、
右ストランド骨下動脈から腕頭動脈、左頚動脈、左ストランド骨下動脈又は大腿部のアプローチなどの下行大動脈のうちの１つを通って、あるいは上行大動脈の壁を通って大動脈弓に塞栓防御デバイスを送達する工程（１１０１）、
塞栓の砕片が動脈に入るのを防ぐために大動脈弓に塞栓防御デバイスを位置づける工程（１１０１）、
その周囲で前記デバイスを密閉して改善するために前記防御装置に安定化力を加える工程（１１０１）、
前記力によって大動脈弓の内部の血管壁に対する塞栓防御デバイスの並置と流体密封性の程度を制御する前記デバイスの送達軸ではなく、少なくとも１つの組織並置保持ユニットによって前記デバイスの接続点に対してオフセットした力を適用する工程（１１０１）、及び
大動脈弓において下行大動脈、左鎖骨下動脈又は大動脈の血管壁を介して第１のカテーテルを心臓に送達する工程（１１０２）であって、心臓上の血管内処置に関連して、少なくとも１つの工程を達成する工程（１１０２）、
前記塞栓防御装置の遠位の保持する点とカテーテル上の遠位の接続点（５０１）の間で接続された少なくとも１つの遠位のガイド要素（３５０）を伸ばす工程によって安定化力を適用する工程（１１０３）、を含み。
前記送達する工程が上行大動脈弓中のバルーンを拡大して第１のカテーテルにマウントされたバルーンを置く工程を含んでなる心臓上で血管内の処置を実行するための方法（１１００）。
【請求項６４】
前記バルーンはドーナツ形状バルーンであり、前記カテーテルと前記ドーナツ形状バルーンの内輪の間でフィルターを有する請求項６３に記載の方法。
【請求項６５】
前記塞栓防御装置は、第２のカテーテルも遠位端あるいは第１のカテーテルの個別のチャネルから伸び、その結果、塞栓防御デバイスの場所が第１のカテーテルの場所から独立して調節することができる請求項６３に記載の方法。
【請求項６６】
前記第１のカテーテルを送達する工程が前記血管内の処置と無関係の第１のカテーテルの個別のチャネル経由で前記塞栓防御デバイスを送達する工程と同時に実行される請求項６３に記載の方法。
【請求項６７】
心臓上の前記血管内の処置は、心臓弁の除去、人工心臓弁の配置あるいは心臓弁の修復と関係する少なくとも１つの工程を含んでいる請求項６３に記載の方法。
【請求項６８】
前記塞栓防御デバイスは、血管内の処置の実行の後に随伴する大動脈弓から取り除かれる請求項６３に記載の方法。
【請求項６９】
前記安定化力を加える工程は押圧ユニットによって押圧力を適用する工程（９０６）を含んでいる請求項４７乃至５３のいずれかに記載の方法。
【発明の詳細な説明】
【技術分野】
【０００１】
この発明は、心臓上の手順用の塞栓防御装置およびカテーテルの分野に一般的に関係する。特に、本発明は、一般にＴＡＶＩ処置か電気生理学処置、あるいは剥離処置のような心臓上の特別の処置で血管内の処置およびそのような処置用導入器の間に塞栓の砕片の片寄りによる大脳の保護のためのデバイス、システムおよび方法に関する。
【背景技術】
【０００２】
この節は、利用者に本開示の種々の態様に関係し得る技術の種々の態様を手ほどきするように意図され、該種々の態様は以下に記述しおよび／または請求した。この考察は、本開示の種々の態様についてのよりよい理解を促進するために利用者に背景的事項を提供することにおいて有用であると考えられる。従って、先行技術の容認としてではなくこの考え方でこれらの陳述が読まれることになっていることは理解される。
【０００３】
血管内の処置は、様々な心臓・脈管の外科の問題を扱うためにますます頻繁に使用されている。動脈閉塞は血管形成術、動脈内膜切除術、および／または最小の侵襲性の血管内のアプローチを使用するステント術で治療することができる。動脈瘤は血管内の手枝によって治療することができる。血管内の外科手術のための別の使用は心臓弁膜症の治療である。弁形成術は血管内に行われ、経皮的な弁置換術は確立している処置になりつつある。Ｔｒａｎｓｃａｔｈｅｔｅｒ  Ａｏｒｔｉｃ  Ｈｅａｒｔ  Ｖａｌｖｅ（ＴＡＶＩ）は、最小の侵襲性の手枝で必要な場所に操作することができる折り畳める大動脈弁に関する処置である。
【０００４】
大脳塞栓術は、そのような血管内の処置および他の心臓外科、心肺バイパスおよびカテーテルベースの介入心臓処置、電気生理学処置などの既知の合併症処置である。塞栓の粒子は、血栓、アテローマおよび脂質、プラークを含み得、プラークは病気にかかった脈管および弁に見出だされ、移動して、塞栓血症に帰着する。塞栓の粒子は、外科あるいはカテーテルの手技によって移動するようになり、血流に入りうる。移動された塞栓の粒子は、このように脳の下流で塞栓化し得る。
【０００５】
大脳塞栓症は神経心理学的な欠乏、脳卒中および死亡などに結びつく場合がある。大脳塞栓症の予防は患者に役立ち、これらの処置の結果を改善する。塞栓防御デバイスは血管内の手順と互換性をもつべきである、そして例えば、大動脈弓を介する心臓への通過を妨げない。
【０００６】
様々な塞栓防御デバイスは当該技術で知られている。
【０００７】
いくつかの塞栓防御デバイスは国際公開ＷＯ２０１２／００９５５８Ａ２公報、又は国際公開ＷＯ２０１２／０８５９１６Ａ２に開示され、これらは、すべての目的のためにそれらの全体を本明細書に取り込まれている。しかしながら、これらのデバイスは脈管に医原性の損害を提供するかもしれず、どの中で、それらは例えば大動脈弓の側部脈管に延びる弯曲部かアームによって位置づけられる。弯曲部またはアームは、アーチへの固定を提供するが、側部脈管への心門での塞栓の粒子をこすり取る危険性を特に増加させる。デバイスは、さらにアーチによって実行される血管内の処置を制限して、大動脈弓にかなり高いやや高い側面を持っている。
【０００８】
大動脈弓の側枝脈管の塞栓の保護用のより有利なロープロファイル・プレーナー・デバイスは、例えば、国際公開ＷＯ２０１０／０２６２４０Ａ１に開示されるか、あるいは国際特許出願第ＰＣＴ／ＥＰ２０１２／０５８３８４に記載され、これは国際公開ＷＯ２０１２１５２７６１として本出願の優先日の後に公開され、全体がすべての目的のため本明細書に組込まれる。
【０００９】
国際公開ＷＯ２０１２００９５５８では、傘状偏向デバイスは中心に送達・ワイヤーを接続して示される。デバイスは保護されるべき側部脈管の１つを介して送達され、ガイドワイヤーは側部脈管に残る。中心に接続されたガイドワイヤーは、引かれ得る場所にデバイスを入れる。しかしながら、これは、心拍毎の大動脈の移動によるいわゆる呼吸吸入管損失へと潜在的に導く。砕片は傘の端に集まり、引き戻され、大動脈移動に十分に追随しなかった時、傘の中心がロックされると、側部脈管に時々吸収され得る。塞栓の防護率は、国際公開ＷＯ２０１２００９５５８に記載されたデバイスの中で最適ではない。
【００１０】
米国特許出願公開ＵＳ２００４／００７３２５３Ａ１では、塞栓粒子の捕捉が開示されており、それは大腿部のアプローチを介して大動脈弓に位置する。デバイスの遠位端での止め金は移植位置で大動脈より大きな直径を持っており、大動脈の壁に対して半径方向外向きに押圧する。所定の位置にある場合、デバイスは大動脈弓を閉ストランドし、大腿部のアプローチ中に実行されるインデックス処置を可能にしない。
【００１１】
国際公開ＷＯ００／４３０６２では、大動脈弓を区画し、後者から側部脈管空間を密閉する。塞栓フィルターは側部脈管・空間へ潅流された血液に適用されるか、あるいは分流器に加えて大動脈弓中の血液を濾過するかもしれない。しかしながら、血液が大動脈弓から側部脈管まで直接流れることができず、体外の血液取扱デバイスが必要であるとともに、デバイスは複雑になる。
【００１２】
米国出願公開２００２／０１３３１１５Ａ１では、薬剤物質を捕捉する方法が磁石を含めて提供される。しかしながら、技術水準のデバイスはさらに改善され得る。１つの問題は、周囲で不十分な密閉によりその頚動脈への周囲でデバイスを横切って回避することにより、塞栓の粒子を含み得る血液は、デバイスの効率を害するかもしれないということである。
【００１３】
心臓から放出された高圧血流中のデバイスの「Ｓａｉｌｉｎｇ（航行）」は、本開示の例によって回避される別の問題である。デバイスは、大動脈弓中の偏向デバイスの安定した位置決めを提供するものとする。
【００１４】
先行技術のデバイスに関する更なる問題は、処置を実行する前に導入器のようなカテーテル装置の位置を決める際に不十分な精度である。それは、合併症およびそのために縮小された患者安全性のための危険を増加させる。
【発明の概要】
【発明が解決しようとする課題】
【００１５】
従って、先行技術の努力にもかかわらず、血管内の処置を許すことができる類型の更なる塞栓防止デバイス、とりわけ心臓の処置の間に大脳の脈管構造を防御するデバイス、及びそのような処置のための導入器などの改善されたカテーテル装置のニーズがある。
【課題を解決するための手段】
【００１６】
従って、本開示の実施形態は、好ましくは当該技術の１つ以上の欠失、欠点あるいは問題を軽減するか、緩和するか、除去しようと努力することであり、例えば、前記同定された、心臓外科および介入心臓学および電気生理学処置などの医療処置中に患者の大動脈弓脈管に一時的な塞栓の保護を提供するために添付された特許請求の範囲のテザーに従ってデバイス又は方法によって、単一又は組み合わせて上記のように同定される。大動脈の血流中の塞栓の粒子は脳に導く頚動脈を含む大動脈弓側枝・脈管に入ることを妨げられる。
【００１７】
展開と除去用システムを含む塞栓の片寄りのためのシステムおよび方法が本明細書に開示される。
【００１８】
開示の１つの態様によれば、カテーテル装置が開示され、該カテーテル装置は、心臓弁（６）で位置するための１ルーメンおよび遠位端を備えた細長いシース（５０３）、上行大動脈から下行大動脈へ塞栓の砕片の片寄りのための大動脈弓において一時的に位置するための塞栓防御デバイス（２００）を含み、該塞栓防御デバイスは接続点（１３１）から近位へ伸びる経血管送達ユニット（１３０）に連結可能であり、周囲を備えたフレーム、前記周囲内の血液浸透性ユニットであって、塞栓の粒子が前記大動脈弓の側部脈管内の大動脈弁下流への血流と共に該血液浸透性ユニットを通って患者の脳へ通過するのを防ぐための血液浸透性ユニット、および前記カテーテルから前記大動脈弓に延びる組織並置保持ユニット（３００、３５０）を有し、前記カテーテル装置が前記大動脈弓の内壁への前記周囲の組織並置が、安定および辺縁の密閉の改善のために前記力に支援されるそのような前記大動脈弓の中で位置する場合、前記塞栓防御デバイスの前記接続点への安定化力オフセットの適用のために、および前記大動脈弓の内壁に、心臓から離れて、および前記周囲の縦の伸長に垂直な方向に前記安定化力を提供するために、前記周囲などの保持点（５０２）で前記塞栓防御デバイスに付けられる。加えて、関連する方法が開示される。
【００１９】
図で示されるようにフレームは細長く延びてもよい。デバイス２００はこのように、本質的に平面であり得る。それは、さらに特定の実施形態において８：１と１８：７の間の長さ対幅の比率を含み得る。デバイスは、１０ｍｍから１２０ｍｍ（例えば２５ｍｍ、４５ｍｍ、６０ｍｍ、７５ｍｍ、９０ｍｍ、１０５ｍｍ）まで長さが変化し得、および５ｍｍから７０ｍｍ（例えば１０ｍｍ、２０ｍｍ、３０ｍｍ、４０ｍｍ、５０ｍｍあるいは６０ｍｍ）まで幅が変化しうる。デバイス２００の長さは、とりわけ実施形態において約８０ｍｍから９０ｍｍまでであり得、例えば、８０ｍｍ、８２ｍｍ、８４ｍｍ、８６ｍｍ、８８ｍｍ又は９０ｍｍであり得る。あるいはそうでなければ腕頭動脈の開口部の上流の上行大動脈の上部壁と、左ストランド骨下動脈の開口部の下流の下行大動脈の上部壁との間の距離を接近させるために必要であり得る。デバイス２００の幅は、１０ｍｍから３５ｍｍまで１０ｍｍであり得、例えば１５ｍｍ、２０ｍｍ、２５ｍｍ、３０ｍｍあるいは３５ｍｍであり得る。あるいはそうでなければ大動脈の内径に接近し得る。「本質的に平坦な」という用語は、高々８０ｍｍの曲率半径を言い得、例えば０ｍｍ、５ｍｍ、１０ｍｍ、２０ｍｍ、３０ｍｍ、４０ｍｍ、５０ｍｍ、６０ｍｍ又は７０ｍｍであり得る。送達ユニット１３０も上部大動脈壁を軽く押圧するためにあらかじめ形成され得、デバイスが血管壁に沿って残り、かつ大腿部を貫く付属品の通過に排除することを可能にし、それは例えばＴＡＶＩ処置などの心臓血管治療で使用され得る。この予め形成はさらに大動脈の脈管ウォールに水平なデバイスの展開を促進するために、例えば５°、１０°、１５°、２０°、２５°、３０°、３５°、４０°、４５°、５０°、５５°、６０°、６５°、７０°、７５°、８０°、８５°又は９０°などの曲げを含み得る。
【００２０】
接続点１３１はプランジャー（例えばカテーテル内に配置された送達ワイヤーに接続されたプランジャーに脈管内デバイス２００を接続するために使用することができる。ラッチを備えたロック機構は接続点１３１で提供され得る。糸が通された結合部は、送達ユニットを付けるために接続点１３１で提供されるかもしれない。例えば、接続点の糸はプランジャー上の糸と係合し得る。接続点１３１は一例においてデバイス２００をプランジャーに接続するための解放及びリリース及び回収フック含み得る。いくつかの例では、デバイス２００の一部であり得るフックはラッチ又は線材ストランドを含み得る。他の例において、血液浸透性ユニット、カテーテルあるいは送達ワイヤーはループで終わり得、ラッチを介して螺着され得る。そのように螺着されると、ループ状の端部が取り付けられたワイヤー又はカテーテルは、フックにカチッと閉められ得、適所にデバイスを押し込むか、大動脈から位置からずれてデバイスを引き得る。いくつかの例において、血液浸透性ユニットからストランドがほつれないか、又は解けないか、脈管壁あるいはカテーテルのインナーチューブを引っ掻かないように、フックはボール状の先端で終わり得る。他の実施形態では、デバイス終端の止め金は、例えばカテーテルまたは送達ワイヤーの端部でクラスプ内、あるいはクラスプ上に押され得る。また、２つのクラスプはそのような圧縮によって連結され得る。
【００２１】
更に他の例において、デバイス２００は、他の塞栓防御デバイスを備えた使用に適合され得る。例えば米国特許第８，０６２，３２４号公報および第７，２３２，４５３号公報に記載されており、参照によってすべての目的のためのその全体が各々本明細書に組み込まれる。
【００２２】
いくつかの実施形態では、デバイスは右回りにあるいは左回りにそれぞれ回転し得る。
【００２３】
デバイスは、ユニットを保持する少なくとも１つの組織並置部をさらに含んでいるが。それはデバイスの送達軸又はガイドワイヤーではない。組織並置保持ユニット部は、デバイスにおける接続点に対してオフセットした力の適用のために提供される。力が大動脈弓中の塞栓防御デバイスの安全な位置決めに寄与するので、力は安定化力と呼ばれ得る。接続点に対するオフセットは、例えば周囲にあり得る。また、それは周囲に隣接し得る。さらに、それは周囲内の血液浸透性ユニットの中心に存在しうる。デバイスが大動脈弓内に位置する場合、力は大動脈弓の内壁の方へ加えられるか向けられる。大動脈弓の内壁への周囲のこの方法組織並置の中で、力に支援される。例えば、牽引力、そのようなもの、適用された、内壁に対してデバイスの周囲を引いてもよい。牽引力は送達・カテーテルなどに対して適用され得、或いは心臓から遠ざかる方向に、大動脈の壁に対して塞栓防御デバイスを上昇させる、好ましくは冠状方向（「上方へ」／患者の頚部か頭の方へ）上昇させる。（安定化）力は移植時の際、適所にデバイスをロックすることを支援する。
【００２４】
塞栓防御デバイスは、このように確実に栓子が頚動脈に流れ込むのを防ぐために大動脈の先端を横切って置くことができる。それが砕片の例えば側部脈管の心門からの生成を防ぐので、発明性のある解決法は医原性ではない。医原性は、医師か外科医による処置に起因する患者の悪条件に関係がある。例えば、側部脈管に伸びるか、危険を冒して内部の血管壁又は心門からプラークを擦り落とす劣った塞栓防御防御デバイスのアーム、アンカー、送達軸体、弯曲部などは必要でなく、本開示のおかげで回避され得る。
【００２５】
周囲における改善された密封のおかげで塞栓の粒子は、その周囲でデバイスを横切って頚動脈までバイパスすることが回避される。高圧血流中のデバイスの「Ｓａｉｌｉｎｇ（航行）」は、回避された心臓から放出した。大動脈弓中の偏向デバイスの安定した位置決めが提供される。
【００２６】
塞栓防御デバイスは、好ましくは塞栓の粒子をそらすための偏向板であり得る。代替的に、又は加えて、それは、塞栓の粒子をつかむためのフィルターであり得る。
【００２７】
実施形態においてデバイスは側部チャネル・カテーテルを介して例えば、大腿部のアプローチを介して送達し得る。側部チャネル・カテーテルなどは、国際特許出願第ＰＣＴ／ＥＰ２０１２／００５８３８４に記載され、それは国際公開第ＷＯ２０１２１５２７６１として本出願の優先日の後に公開され、これは参照によってすべての目的のためにその全体が本明細書に組み込まれる。カテーテルは、塞栓防御デバイス用の一つである多数の側チャネルによって改善され得る。テザーは同じチャネルあるいはカテーテルの他のチャネルで広がり得る。ピッグテール・カテーテルはそのような補助の側チャネルで提供され得る。ピッグテール・カテーテルはさらに国際公開公報ＷＯ２０１２／０９４１９５Ａ１号公報に記載されたものなどのように大動脈弓の大動脈弁および／または内壁の環形に対してカテーテルを安定させるために使用され得る。同公報は、参照によってすべての目的のためにその全体が本明細書に組み込まれる。国際公開公報ＷＯ２０１２／０９４１９５Ａ１号における関連する記載並びに国際公開公報ＷＯ２０１２／０９４１９５Ａ１号の図（１０Ａと１０Ｂ）を特に参照されたい。
【００２８】
デバイスは実施形態において、国際公開公報ＷＯ２０１０／０２６２４０Ａ１に記載されているように側部脈管を介して送達され得る。
【００２９】
デバイスは実施形態において大動脈を介して、例えば、直接の大動脈アプローチによって送達され得、例えば、「ＭＥＴＨＯＤ  ＦＯＲ  ＤＥＬＩＶＥＲＹ  ＯＦ  ＡＮ  ＥＭＢＯＬＩＣ  ＰＲＯＴＥＣＴＩＯＮ  ＵＮＩＴ」と題し、本願と出願人が同一であり、出願と同日に出願された米国出願、及びその優先権である２０１２年１１月１４日付で出願された米国出願第６１／７２６，５４０に記載されている。両方の出願は、参照によってすべての目的のためのそれらの全体を本明細書に組み込まれている。
【００３０】
安定化力と呼ばれる前記力は牽引力に含み得る。その後、並置保持／支持ユニットは能動的な牽引ユニットであり得、それは、例えばその場所で遠位状に少なくとも１つの操作可能なテザー３００を接続している、接続先端部１３１とオフセットする。牽引ユニットかテザーの遠位の結合位置３１０は、デバイスに牽引力を提供するための塞栓防御デバイス２００にフレーム１３３、周囲１８０および／または血液浸透性ユニット１３２に位置し得る。
【００３１】
テザー３００には１つ以上の遠位端がある。遠位端は例えば塞栓防御デバイス２００の周囲１８０に接続されている。テザーの３００の遠位端は、フィルターまたは偏向板の膜のような血液浸透性ユニット１３２に接続され得る。例えば、膜が柔軟でかつ、または弾性の場合、膜は牽引によって移動され得る。したがって、牽引は膜を上昇し得る。
テザー、より正確にはテザーラインは、周囲の密閉する程度を制御するために提供される。
テザーは大動脈の組織／大脳動脈への並置の方向に提供される。テザーは、末梢部に接続される塞栓防御デバイスに伝えられたテザーへの引く行為によって能動的な牽引を提供し得る。牽引力は、塞栓防御デバイスの送達デバイスの引く力と異なってもよい、したがって、デバイスの周囲がその付属の送達デバイスより大きい程度で大動脈弓移動に続くように、力が選択されると、風を吸い込む効果を有利に回避する。
【００３２】
テザーは送達ユニット１３０に対して移動可能である。送達ユニット１３０はこれらの実施形態におい、例えば、ボーデンケーブル原理のように安定化力を加えることができる。代替的に、又は加えて、例えば、側部脈管の中でしっかり固定された使用で送達デバイスのまわりに同軸状に配置された円錐形のフィルターの形の収集デバイスは、塞栓防御デバイスに必要とされる安定化力を提供できる反対の点を提供し得る。このように、送達デバイスが「送達された」場所、例えば導入器のポートあるいはポートの外側の近位端でロックされるように、デバイス２００は大動脈弓において位置し得る。その後、本明細書に記述されるように、テザーはまだ移動可能で、密閉を改善し得る。
【００３３】
本発明のデバイスのうちのどれでも、送達ユニット１３０は図１に示されるように、前もって形成された屈曲部を含み得る。前もって形成された屈曲部は、５°と９０°の間に存在し得る。いくつかの態様では、デバイス１００はさらにフィルター（図示せず）（例えば、カテーテル１６０の外部から拡張可能）を含んでおり、該フィルターは、一時的に、大動脈弓に位置づけるために経血管的に送達可能な塞栓防御デバイス２００に近位（例えば、前もって形成された屈曲部の近位）に位置する。フィルターは側枝血管を濾過するための大きさにできる。経血管的に送達可能な塞栓防御デバイス２００の中央部材などの送達ユニット１３０は、それゆえ第２のフィルターを通過することができる。フィルターは、粒子が側部脈管の下流の大動脈弓から通過するのを防ぐ能力を持つことができる。フィルターは側部脈管の管壁との係合のために伸長可能であり得る。それは風を吸い込む効果に関する損失を防いで、牽引力の適用を可能にする固定点を提供し得る。フィルターは、カテーテルおよび／またはフィルターの尖端を通過する送達ワイヤーを備えた円錐形状であり得る。カテーテルおよび／または送達ワイヤーがフィルターに、例えばカテーテルのワイヤーの外周又は送達ワイヤーの外周に沿ったすべての点において接続される限り、フィルターは、カテーテルおよび／またはフィルター内の任意の先端部を通過する送達ワイヤーを備えた本質的に平坦であり得る。フィルターの最も広い部分の幅は、とりわけストランド骨下の動脈の解剖学的な幅、例えば２、４、６又は８ｍｍの幅に適合するように予め寸法を決めるか、予め形成され得る。他の形状が使用されてもよい。
【００３４】
テザーはマルチフィラメント・テザーであり得、狭いルーメン操作に有利なとりわけ柔軟な解決を提供する。
【００３５】
テザーは、血液浸透性ユニットを横切ってデバイスの前端まで直接に及ぶかもしれない。したがって、中央のラインは引き上げられ得、周囲は内壁に逆らって伸ばされる。テザーは、前端への上昇力を提供する。テザーが中央のラインでガイドされる場合（例えば、糸は小環を介して糸が通されると）、それは、デバイスに沿って送達される漸進的な上昇力を提供し得、それは周囲でとりわけ有効な封止および／または安定化を可能にする。
【００３６】
少なくとも１つのテザーは長手方向に弾性を有し得、つまり、それは長手方向に伸縮自在であり、非伸縮の長手方向の伸びに戻る。テザーはその全長に沿って弾性であり得る。テザーは１つ以上の弾性部あるいは弾性要素を含み得る。弾性部はバネとして作用するテザーの螺旋状に巻かれた部分であり得る。弾性部は螺旋状に巻かれたストランドの管状の編組であり得る。弾性部は弾性材、好ましくはゴムのような生物学的適合性の材料から製造され得る。このように、牽引力は可変である。これはテザーラインの破断を防ぐために有利であり得る。なぜなら、非線形の伸びが操作者によって「感じられ」得るからである。テザーが塞栓防御デバイスの密閉を改善するために所望の牽引を適用する張力デバイスである場合、この可変牽引力はさらに有利であり得る。テザーはこの位置において、その近位端でロックされ得る。例えば導入器ポートから伸びること。弾性は、大動脈弓関係詞の生理的な動作を償うためにデバイスの近位端を提供し、かつ、または維持間に組織並置を拘束するかもしれない。前方に記述されたさく癖の馬結果と関係する問題が回避される。
作用力は、大動脈弓が鼓動する心臓および血液脈波により移動している一方、改善された辺縁の密閉を維持するのに適切なあるテザー内に提供される。
【００３７】
血液浸透性ユニットは、小環、管状の屈曲要素、ローラーなどの少なくとも１つのガイドユニットを有し得る。ガイドユニットはテザーをその遠位端を近位に受け取り得、そこで、血液浸透性ユニットなどのデバイス、フランジ又は周囲に取り付けられる。小環などのガイドユニットは、デバイスにおける局所的に制御可能な並置を提供する。牽引力はデバイスの異なる分野に送達され得る。
【００３８】
デバイスは付着点を有し得、そこで、テザーの遠位端がデバイスに接続され、牽引力は付着点を経てデバイスの周囲へと伝達可能である。随意に、ラジオパク、１つ以上の標準マーカーがデバイスに設けられ得る。標準マーカーは付着点に設けられ得る。標準マーカーは有利なＸ線の視認性及び操作、デバイスの位置フィードバック及び制御を提供する。
【００３９】
いくつかの例において、テザーは、心門を介して側部脈管内へ近位に伸びている。その結果、牽引力が心門に関してデバイスを中心におく。テザーラインを引くと、それは適所にデバイスをロックするためにその周囲において大動脈の内壁に向かってデバイスを引く。このように、デバイスは、テザーのお蔭で選択された側部脈管感謝の心門に関して自己整合する。この機能を得るためにこの開示を読むと、当業者はテザーのために適切なガイドユニットを提供し得る。
【００４０】
デバイスは、周囲に沿って遠位状に付けられた多数のテザーを含み得る。代替的に、又は追加的に、単一の近位のテザーラインは、複数の（副）テザーラインへと遠位的に分か得る。例えば、テザーは、Ｙの形状で分岐され得る。近位に操作される単一のテザーは、その２つの遠位端点を経て塞栓防御デバイスに対して牽引力を遠位に送達し得る。複数のエンドポイントを備えた例は図８に示される。多数のテザーは、多数の遠位端を有するテザーと共に使用され得るか、又は結合され得る。多数のテザーは、デバイスの近位、例えば、その基部に集められ得る。このように、デバイスは、デバイスの周囲に沿って平等に分散した直進性の力を提供する。デバイスは、有利にこのように大動脈弓の内部形状に適合し得る。その適合は、テザーにおける長手方向の弾性を提供することによりさらにもっと増強され得る。例えば、枝分かれさせられた（副）テザーラインは、弾性材料から提供され得、その一方でメインラインは実質的に弾性がないが柔軟である。
【００４１】
いくつかの実施例において、デバイスは周囲の異なる、好ましくは向き合った関節間に伸びる少なくとも１つのリブを有し得、テザーは、リブで末梢部に取り付けられる。テザーは、このようにリブに牽引力を適用し得る。リブは、次に大動脈の内壁組織に向けてデバイスの周囲へ力を伝え得る。リブは梁かヨークであり得る。それは拡張したデバイスの長手方向の軸に関して縦又は横に配列され得る。デバイスにそのような複数のリブがあるかもしれない。多数の花弁状部材又はウィング状部材を有するデバイスは、有利な力配分を得るために、花弁状部材又はウィング状部材の１つ以上に１つ以上のリブを有し得る。リブはデバイスに構造支持材を提供し得る。「構造支持材を提供する」という用語は、デバイスの形状および剛さに寄与する特性を言う。脈管内のデバイス２００の剛さは、血液浸透性ユニット、周囲および／または放射状支持部材の剛さによって決定され得る。例えば、デバイス２００は、より重いゲージ・ワイヤーの介在物、あるいはより堅い中央の部材、ヨークあるいは放射状支持部材の介在物によって堅くなり得る。更に、あるゲージの多数のワイヤーはデバイスの剛さを増加させるためにともに巻くことができる、例えば、デバイスは、脈管内のデバイス２００の剛さを増加させるために２、３、４又は５以上ワイヤーを含み得る。
【００４２】
例えば、デバイスの花弁又はウィング状の部材は、大動脈の血流に関して上流に配列され得る。代替的に、あるいは追加的に、デバイスは花弁状の部材を有し得るか、デバイスのウィング状部材が大動脈の血流に関して下流に配列され得る。１つ以上、あるいは花弁状部材またはウィング状部材の各々は、本明細書に記述されるようなテザー、プッシャ、バネのような組織並置保持ユニットを有し得る。ウィングは、組織並置保持ユニットによって大動脈の血流に関して上流に配列された花弁状部材又はウィング状部材を提供することは充分であり得る。下流に配列された花弁状またはウィング状部材は、デバイスの血液浸透性ユニットを通過していく大動脈中の拍動性の血流によって大動脈の内壁組織に十分に押しつけられ得る。しかしながら、接続点からの下流方向に配列された花弁状またはウィング状部材において組織並置保持ユニットを有することは、大動脈における圧力変化中にユニットを保持するそのような組織並置に有利に支援され得る。大動脈圧は拡張期に、より低く、心収縮期中によりも漏る傾向があり得る。組織並置保持ユニットは心拡張期に十分に支持的であるように測定され得、収縮期圧サポートのために寸法を決めるよりも身体中への挿入により有利にする（より小さく、より少ない量）。
【００４３】
組織並置保持ユニットは、拍動性の血流によって引き起こされた血液浸透性ユニットの移動を制限し得る。上述したデバイスの「移動」は組織並置ユニットによって制限されるか或いは回避される。例えば、リブを有することはこの制限のある移動範囲のために提供され得る。リブおよび／またはテザーは血液浸透性ユニットの移動を制限する。デバイスにテザーを接続したことはそのとき直進性の牽引力のために提供され得、とりわけ改善された密閉のために提供され得る。なぜなら、拍動性の圧力変化によって引き起こされた周囲の力が心臓の鼓動の拍動流中に平等に分散されるからである。
【００４４】
リブは、血液浸透性ユニットを超えて近位へ伸びるようなヨークであり得る。「超える」とは、ユニットを通る血流の下流のユニットの濾過された側を意味する。「下に」とは、この文脈の中で対向する側を意味する。ヨークは、好ましくは少なくともデバイスの一部の長手方向に伸び得る。遠位のテザー端部は、リブに直接付けられ得る。遠位のテザー端部はリブにおけるガイドユニットによって周囲にガイドされ得、牽引力の有利な配分を提供する。「上に」位置するリブは、同時に血液浸透性ユニットの移動を制限し得、したがって組織例えば心門との接触を回避し、そのような回避された接触によって砕片の生成を回避する。本開示の例のデバイスは追加のリブ部材を含み得る。該リブ部材は、上に位置するか、及び／又は選択的に浸透性ユニット１３２の下に位置する。
【００４５】
デバイスは多数のテザー、あるいは多数のストランドにその遠位で分割する単一のテザーを含み得る。一例において、２つのテザーあるいはストランドが、デバイスの基部からＹ字形状で周囲に遠位状に付けられる。
【００４６】
デバイスは少なくとも１つの小環を含み得、そこでは１以上のテザーは、少なくとも１つの小環を介して糸が通されている。小環は、好ましくは枢動点において、および／またはデバイスの基部において提供され得る。組織例えば、心門とのテザーの接触は、したがって小環のお蔭で回避され、および小片の生成は、伸ばされた時に組織とテザーとの接触を防ぐことにより回避される。
【００４７】
血液浸透性ユニットは柔軟であり得る。それは例えば定義された有孔性又は穴を備えた平坦な（実質的に平面の）膜である。テザーは、膜に遠位状に取り付けられ得る。こうしてテザーの膜への取り付け位置を含む例えば火山状の形状部へ加えられた引張り力は、膜の平面から膜を上げ得る。火山状の形状は、有利にデバイスの効率を増加させ得る。火山状の形状の頂部は側部脈管の一部へ、心門内へ伸びるように配列され得る。粒子の閉込は、火山状形状部の内部の漏斗形状部によって提供され得、その中を血液が流れる。高めたフィルター効率はその結果になるだろう。
【００４８】
牽引ユニットは、代替的にあるいは追加的に更に受動牽引ユニットを含み得る。受動牽引ユニットは操作者によって操作されないが、安定化力および改善された辺縁の密閉に自動的に提供する。受動牽引ユニットはバネであり得る。受動牽引ユニットは、送達部又はデバイスに対して牽引力を提供するために、フレームの一部など、例えば体温によって活性化される形状記憶要素を有し得る。例えば、デバイスは、デバイスの周囲から伸びる「小翼部」を含み得、それは形状記憶部を有している。別の例はテザーを例えば、デバイスの基部から伸ばすために活性化される形状記憶バネである。テザーの一部は形状記憶部として提供され得る。そのようなテザーは細長い形で送達され得、ついで記憶誘導形状に変更され、牽引力を提供するためにテザーを短くする。記憶が誘導された形状は、螺旋状のコイルであり得、記憶が活性化されたテザーの弾性、とりわけ有利な圧力および／または移動補正を可能にする。デバイスは、デバイスの周囲から、例えばフレームから放射状に外へ伸びるフランジユニットを有し得る。
【００４９】
フランジユニットは、牽引力が提供されるプリテンション用の血液浸透性ユニットの面に関して角度が付けられ得る。フランジユニットはさらに改善された密閉に備え得る。密閉が大動脈における血圧によって支援されるからである。フランジユニットは織物で製造され得る。織物は織られていてもよい。織物は有利な密閉および生物学的適合性を提供するために、ＰＴＦＥ糸から織られ得る。織物はデバイスのフレームのまわりのカラーとして配列され得る。カラーは、フレームに取り付けられたフィルター膜の反対の方向に伸び得る。フランジユニットは内壁組織に向かうデバイスの周囲で凹部を回避することを提供する。塞栓の粒子がそのような凹部に集まり得るので、これは特に有利である。その後、デバイスが除去されると、これらの集められた粒子は、側部脈管内に流され得る。周囲に集まる粒子の回避はこの潜在的な問題を低減する。
【００５０】
組織並置保持ユニットは押圧ユニットを含み得、当該力は、フレーム、周囲および／または血液浸透性ユニットに対する押圧力を含む。押圧ユニットは押圧力を提供し、内壁の周囲を押圧する。
【００５１】
組織並置保持ユニットは磁気要素を含み得、力は磁力を含む。
【００５２】
本開示の他の態様によれば、大動脈弓におけるカテーテル装置（５００）の位置決め方法（９００））が開示され、該方法は、偏向板および／またはフィルターなどの塞栓防御デバイス（２００）を大動脈弓に経血管的に送達する工程（９０１）、前記塞栓防御デバイスの接続先端部（１３１）から近位へ伸びる経血管送達ユニット（１３０）に塞栓防御デバイスが接続されてなる塞栓防御デバイス（２００）を大動脈弓に経血管的に送達する工程（９０１）、前記大動脈弓において塞栓防御デバイスを位置決めする工程（９０２）、デバイスのフレームを拡大する工程（９０３）、前記大動脈弓における血液浸透性ユニットを平坦にして、側部脈管内の粒子が患者の脳まで到達するのを防ぐために頚動脈を含む側部脈管の心門を少なくとも覆うように前記塞栓防御デバイスの周囲に前記大動脈弓の内壁との並置をもたらす工程（９０４）、及び前記カテーテルから前記大動脈弓に伸び、前記保持点（５０２）において前記塞栓防御デバイスに取り付けられてなる少なくとも１つの組織並置保護ユニット（３００、３５０）によって安定化力を加える工程（９０５）を含み、前記カテーテル装置が、前記大動脈弓の内壁への前記周囲の組織並置が、安定および辺縁の密閉の改善のために前記安定化力によって支持されるように前記大動脈弓において位置するとき、前記力は、前記周囲におけるなど、前記塞栓防御デバイスの接続点に対してオフセットし、前記大動脈弓の内壁に向かい、心臓から離れ、前記周囲の長手方向に対して直角の方向に安定化力を提供する前記大動脈弓の内壁の方に向けられてなることを特徴としている。このようにして大動脈弓の内壁の周囲の組織並置が力によって支持される。
【００５３】
この方法は既知の方法ほど医原性ではない。それは、塞栓防御デバイスの周囲の改善された密閉を提供する。
【００５４】
それは、さらに大動脈弓の心門から砕片の生成を防ぐ。支持された並置は、大動脈弓の内壁の周囲の並置を改善しており、その結果、改善された並置が内壁に対する周囲の改善された密閉を提供する。
【００５５】
力は改善された密閉用のデバイスに対して実質的に近位の方向に加えられ得る。力を加えることは牽引ユニットによって牽引力を適用することを含み得る。牽引力は大動脈弓の適所にデバイスをロックするために内壁に対してデバイスの周囲を引くことを含み得る。牽引力は、牽引力の提供のためにフレーム、周囲および／または血液浸透性ユニットに遠位状に接続された少なくとも１つのテザーによって適用され得る。
【００５６】
デバイスは、右鎖骨下動脈からの腕頭動脈、左の頚動脈あるいは左鎖骨下動脈などの側部脈管の１つを介して大動脈弓に送達され得る。それは大腿部のアプローチ中でのように下行大動脈経由で大動脈弓に配達されるかもしれない、例えば、主なカテーテルの側面のチャネルで。それは上行大動脈の壁を通って大動脈弓に配達されるかもしれない。それは「直接の大動脈」アプローチと呼ばれるアプローチである。
【００５７】
本開示の別の態様によれば、大動脈弓の中で流れる塞栓がその側部脈管に入るのを防ぐ方法（１０００）は、大動脈弓に塞栓防御を進める工程（１００１）、及び側部脈管の各々の心門をカバーするように、防御デバイスを操作する工程（１００２）、その周囲で前記デバイスを密閉して改善するために前記防御デバイスに力を加える工程（１００３）、前記塞栓防御デバイスの遠位の保持点とカテーテル上の遠位の接続点（５０１）の間で接続された遠位のガイド要素（３５０）によって前記デバイスにおいて接続点に対してオフセットした力を適用する工程を含み、防御デバイスは、側枝・脈管の各々の中への大動脈弓からの血流を許すが、栓子が大動脈弓の管腔を妨害せずに、第１及び第２の側部脈管に入るのを防ぐ。
【００５８】
本開示のさらなる態様によれば、大動脈から頚動脈への塞栓のフローを制限する方法が提供される。当該方法は上行大動脈と下行大動脈の間で拡張するべき大動脈弓に、塞栓防御デバイスを送達することを含み、その結果、頚動脈に入る塞栓の砕片を防ぐために大動脈弓へ、塞栓防御デバイス又はその要素の位置を決める。さらに、当該方法は塞栓防御デバイスの遠位状に接続された少なくとも１つのテザー部材を近位に伸ばす工程を含み、こうして並置の程度と、大動脈弓の内部血管壁に対する塞栓防御デバイスの流体密封性の程度をする工程を含む。
【００５９】
本開示の更なる態様によれば、心臓で血管内の処置を行なうための方法（１１００）であって、該方法は、次の脈管のうちの１つを通って大動脈弓に（１１０１）塞栓防御デバイスを送達する工程、右ストランド骨下動脈から腕頭動脈、左頚動脈、左ストランド骨下動脈又は大腿部の流入路の中などの下行大動脈；あるいは上行大動脈の壁を通って；その周囲で前記デバイスを密閉して改善するために前記保護デバイス（１１０１）に安定化力を加えて、頚動脈に入る塞栓の砕片を防ぐ大動脈弓内で塞栓防御デバイスの位置を決める工程、前記デバイスの送達シャフトではなく、少なくとも１つの組織並置によって前記デバイスの接続点にオフセットする力を適用する工程を含み、前記力によって並置および大動脈弓の内部血管壁に対する塞栓防御デバイスの流体密封性の程度を制御する工程；下行大動脈、左鎖骨下動脈あるいは大動脈の血管壁を通って心臓まで第１のカテーテルを送達する工程（１１０２）であって、前記塞栓防御デバイスの遠位保持点とカテーテル上の遠位接続点（５０１）の間で接続された少なくとも１つの遠位ガイド要素（３５０）を伸ばすことにより、前記安定化力を心臓に適用する（１１０３）血管内の処置に関する少なくとも１つの工程を実行し、前記第１のカテーテルを送達する工程は、当該第１のカテーテルに取り付けられたバルーンを前記上行大動脈弓中のバルーンを拡大して置く工程を含む。
【００６０】
力を加える工程は前記塞栓防御デバイスの遠位に接続された、少なくとも１つのテザー部材又は押圧ユニットを近位に延ばす工程を含み得る。
【００６１】
塞栓防御デバイスを送達する工程は経血管的になされ得、当該塞栓防御デバイスを送達後に第１のカテーテルを送達する工程がなされ得る。
【００６２】
第１のカテーテルを送達する工程は、第１のカテーテルの遠位端を適所にロックするために上行の大動脈弓中のバルーンを拡張して第１のカテーテルに取り付けられたバルーンを置く工程を含み得る。バルーンは、前記カテーテルとドーナツ形状の内輪の間でフィルターを有するドーナツ形状を有し得る。
【００６３】
前記方法で使用される塞栓防御デバイスは、第２のカテーテルの遠位端あるいは第１のカテーテルの別のチャネルから伸び得る。その結果、塞栓防御デバイスの位置が第１のカテーテルの位置から独立して調節され得る。
【００６４】
第１のカテーテルを送達する工程は、血管内の処置と無関係に、第１のカテーテルの別のチャネルを介して塞栓防御デバイスを送達する工程と同時に実行され得る。
【００６５】
心臓の血管内の処置は、心臓弁の除去、人工弁の配置あるいは心臓弁の再建に関する少なくとも１つの工程を含み得る。塞栓防御デバイスは大動脈弓から取り除かれた後、血管内処置がなされる。
【００６６】
本開示のさらなる実施形態は従属請求項で定義され、本発明の第２の態様およびその後の態様の特徴は、第１の態様に準用するものである。
【００６７】
本開示のいくつかの実施例は、シース、カテーテル、あるいはテザーのおかげで心臓の上を血管内処置で使用されるワイヤーを通すことを可能にする大動脈内の塞栓防御デバイスのロープロファイルを提供する。
【００６８】
本開示のいくつかの実施例は、さらにアンカー、アーム、デバイスなどから伸びる弓の回避を提供する。それは組織損傷／原因砕片をこすり取り押し流され得る。
【００６９】
本開示のいくつかの実施例は、塞栓防御デバイスの追加の部分を回避し、該塞栓防御デバイスは大動脈又は側部脈管の内壁、とりわけ大動脈弓の心門に隣接した部分あるいは近辺と組織接触する。
【００７０】
「保持する」という用語は、本明細書で使用されるように、支持する、支援する、保持する、支持する、のうちの１つを意味する。本開示によるデバイスの組織並置は、特定の実施形態に依存して、押圧力あるいは牽引力支持、支援又は支援並置によって提供され得る。
【００７１】
本明細書に使用された用語「テザー」は安全性テザーと混同されないだろう、もし必要ならば塞栓防御デバイスの回収を可能にする単純な安全性ラインである。本明細書に使用されるようなテザーは、塞栓防御デバイスあるいはその選択された部分全体の抑制された伸ばすことを可能にするラインである。引張りは内部の脈管にデバイスを伸ばすことを提供するためにテザーの近位に適用される。引張りが内部の血管壁に逆らってデバイスの固定を支援するように、テザーは塞栓防御デバイスの遠位に接続されるか取付けられる。このように、デバイスの周囲での流体流動は制御可能で、血液が単にデバイスの血液浸透性ユニットを通過するように、テザーへの牽引の程度によって止めることができる。本明細書に使用されるように、「テザー」あるいは「ストランド」は任意の細長い構造を言い、
例えば、ポリカーボネート、ポリテトラフルオロエチレン（ＰＴＦＥ）、延伸ポリテトラフルオロエチレン（ｅＰＴＦＥ）、ポリフッ化ビニリデン（ＰＶＤＦ）、ポリプロピレン、多孔性ウレタン、ニチノール、フルオロポリマー（Ｔｅｆｌｏｎ登録商標）、コバルト・クロム合金（ＣｏＣｒ）、及びパラ系アラミド（Ｋｅｖｌａｒ登録商標）、又は織物、例えばナイロン、ポリエステル、（Ｄａｃｒｏｎ登録商標）、絹などの任意の非分解性の材料から製造されたコード、ファイバー、フィラメント、ケーブル及び糸。
【００７２】
実施形態の発明性のある改善を含むデバイスは、患者の大動脈弓への一時的な経血管送達のために考案された折り畳める塞栓防御デバイスを含み、該デバイスは選択的に浸透性の材料あるいはユニットを含む保護ユニットを有し、大動脈弓で複数の大動脈の側枝脈管への血流により塞栓物質が通過するのを防ぐのに適し、保護ユニットは、接続点又は接続領域あるいは付着点に経血管送達ユニットに永久あるいは解放可能に取り付けられ（身体への導入に先立つ組み立てのために）、選択的に浸透性ユニット、および選択的に浸透性ユニットの周囲で少なくとも部分的に配列された保護ユニットのための第１の支承部材で提供される。デバイスの拡張した状態で、接続点は第１の支承部材によって囲まれるか、あるいは第１の支承部材と一体的であり、そこでは、経血管送達ユニットは保護ユニットに対し中心から外れて、接続点に接続される。いくつかの実施形態では、接続点又は接続領域若しくは付着点は第１の支承部材によって囲まれる。
【００７３】
接続点は、選択的に浸透性ユニット、あるいは第１の支承部材で提供され得る。
【００７４】
接続点は、保護ユニットが大動脈弓に位置する場合に、大動脈弓の内部から、および心門領域から離間して大動脈の側枝・脈管に適応させるために考案された選択的に浸透性ユニットの表面上で提供されるかもしれない。
【００７５】
いくつかの実施形態では、保護ユニットが拡張した状態で大動脈弓の中に位置する場合、選択的に浸透性ユニットは、接続点から大動脈弓の下行大動脈に第１の方向に伸びるために考案された第１の部分、および接続点から大動脈弓の上行大動脈の方へ、第１の方向の反対の第２の方向に伸びるように考案された第２の部分を含んでいる。
【００７６】
いくつかの実施形態では、保護ユニットが拡張状態に大動脈弓の中に位置する場合、選択的に浸透性ユニットは非対称的に大動脈弓の下行大動脈への第１の方向、および大動脈弓の上行大動脈への第２の方向に接続点から伸びるように配列される。
【００７７】
本出願の文脈で使用された「折り畳む」といる用語は、デバイスの寸法がカテーテルなどの管状の送達ユニットにおいて配列できるような短い寸法に低減できることを意味する。送達ユニットから解放されるか、又は押圧された時、折り畳みユニットは拡張可能である。拡張可能とは、例えば、形状記憶効果および／または弾力のある弾性によって自己拡張できることを含む。折り畳みユニットは、送達ユニットへの、および患者から引き取るために再度折り畳むものである。
【００７８】
それは強調されるべきである、この開示の中で使用されるとき、「含む／有する」という用語は前述した特徴、整数、工程あるいは成分の存在を特定するために取られるが、１つ以上の他の特徴、整数、工程、成分あるいはその群の存在や追加を妨げない。
【図面の簡単な説明】
【００７９】
本発明の実施形態の叙上および他の態様、特徴並びに利点は、本開示の実施形態の次の記載から明らかになりかつ解明され得、添付の図面に言及される。
【図１】図１は大動脈弓において展開したその拡張した構成で経血管送達ユニットに取り付けられた保護デバイスの概略図であり、該デバイスはテザーを含む。
【図２】図２はテザーを備えた塞栓防御デバイスを例証する斜視図である。
【図３】図３はテザーを備えた塞栓防御デバイスを例証する平面図である。
【図４】図４は、カテーテル中及びカテーテルの外側でテザーを備え、大動脈求弓に送達される塞栓防御デバイスを示す概略図である。
【図５】図５は、拡大した図４のデバイスであって、より詳細に該デバイスを示す斜視図である。
【図６】図６は、カテーテル中及びカテーテルの外側でテザーを備え、大動脈求弓に送達される塞栓防御デバイスを示す概略図である。
【図７】図７は、拡大した図６のデバイスであって、より詳細に該デバイスを示す斜視図である。
【図８】図８は多数のテザーを備えた塞栓防御デバイスを例証する平面図である。
【図９】図９Ａ及び９Ｂは、側部チャネルを備えたカテーテルと、テザーを備えた塞栓防御デバイスを例証する概略図である。
【図１０】図１０は、側部チャネルおよびテザーを備えた塞栓防御デバイスを備えた大腿部のアプローチを介して送達されるカテーテルを例証する概略図である。
【図１１】図１１は、側部チャネルと、ヒンジ及びテザーを備えた塞栓防御デバイスを有するカテーテルを例証する概略図である。
【図１２】図１２は、側部チャネルおよび多数のテザーを備えた塞栓防御デバイスを備えた大腿部のアプローチによって送達されるカテーテルを例証する概略図である。
【図１３】図１３は、側部チャネルと、押圧ユニットを備えた塞栓防御デバイスを有するカテーテルであって、大腿部のアプローチを介して送達されるカテーテルを例証する概略図である。
【図１４】図１４は、フランジユニット４００を備えた塞栓防御デバイスを概略図である；
【図１５】図１５は方法６００を例証するフローチャートである。
【図１６】図１６ａ−図１６ｃは、本発明の実施形態によるカテーテル装置の概略図である。
【図１７】図１７ａ−図１７ｃは、発明の実施形態によるカテーテル装置の概略図である；
【図１８】図１８ａ−図１８ｅは、発明の実施形態によるカテーテル装置の概略図である；
【図１９】図１９ａ−図１９ｂは、発明の実施形態によるカテーテル装置の概略図である；
【図２０】図２０ａ−図２０ｃは、発明の実施形態によるカテーテル装置の概略図である；
【図２１】図２１は、発明の実施形態による方法を例証するフローチャートである；
【図２２】図２２ａ−図２２ｂは、本発明の実施形態による方法を例証するフローチャートである。
【図２３】図２３ａ−図２３ｄは、本発明の実施形態によるカテーテル装置の概略図である。
【発明を実施するための形態】
【００８０】
添付図面を参照して特定の例を記述する。しかしながら、この発明は様々な形態で具体化され得、本明細書に述べられた実施形態に限定されるように解釈されるべきでない。もっと正確に言えば、この開示が完全になり完成し、本発明の範囲が当業者に完全に伝達されるように、これらの実施形態が提供されるだろう。添付図面で例証された実施形態の詳細な記載に使用される用語は、本発明の限定とするように意図されてない。図面で、類似した数字は類似した要素を言う。
【００８１】
図１は、大動脈弓１００と複数の側枝脈管の概略図を示し、第３の側枝脈管１１６、第２の側枝・脈管１１８および第１の側枝脈管１２０を含む。大動脈弁６は図面のうちのいくつかで例証される。通常は、大動脈の３つの枝管が、３つの別個の心門中の大動脈弓１００の躯幹から分離する。第３の側枝・脈管１１６は腕頭動脈と呼ばれる。第２の側枝・脈管１１８は左総頚動脈と呼ばれる。また、第１の側枝・脈管１２０は左ストランド骨下動脈と呼ばれる。側枝・脈管は、大動脈弓１００上の別位置から発生して、通常３つの別個の動脈幹として大動脈弓から分離する。腕頭動脈１１６は大動脈弓の最大の直径枝管で、分岐を通常生じさせ、該分岐から、右鎖骨下動脈１１５が伸長し、血液を、例えば、右腕、および右総頚動脈１１７へと導き頚部と頭に動脈血を伝える。左総頚動脈１１８は、通常大動脈弓１００から直接分岐する。その後、総頚動脈１１７および１１８は、頚部と頭の部位に血液を供給する、外部および内頚動脈へ分岐する。左および右鎖骨下動脈１２０、１１５は、結局椎骨動脈、内胸動脈および他の脈管のために予定された血液に動脈の経路を提供し、上腕、頚部、髄膜および脳の胸郭壁、脊髄および部分に酸素で処理された血液を供給する。
【００８２】
図２は、ワイヤーの支承部材１３３を有する塞栓防御デバイスの斜視図である。ワイヤーの２本の枝管が、送達ユニット１３０との交差部１９６で互いに交差する。ワイヤーは付着点１３１で、例えば締め付け、溶接、接着によって連結される。
【００８３】
患者の大動脈弓１００への一時的な経血管送達および大動脈弓１００中の、あるいは大動脈弓を横切った仮位置決めのために考案された折り畳み可能な塞栓防御デバイス２００が提供される。デバイスのいくつかの例が以下に述べられる。前記デバイスは、大動脈弓１００に適切に位置した時、その拡張した状態で大動脈弓１００の側枝脈管１１６、１１８、１２０の少なくとも１つに塞栓物質１５０が入るのを防ぐために折り畳み可能な保護ユニット１４０を有する。好ましくは、少なくとも左・右の頚動脈１１８および１１７は、大動脈弓１００の中にある塞栓物質１５０から保護される。側枝脈管１１６、１１８、１２０がすべてカバーされ得る。
【００８４】
塞栓防御デバイス２００の例は、選択的に浸透性ユニット１３２の周囲１８０で少なくとも部分的に配列される保護ユニット１４０のための第１の支承部材１３３をさらに含んでいる。選択的に浸透性ユニット１３２は血液に対しては浸透性であるが、塞栓物質に対しては不浸透性である。選択的に浸透性ユニット１３２は、適切な方法で第１の支承部材１３３に接続されるか、又は取り付けられる。代替的に、選択的に浸透性ユニット１３２は第１の支承部材１３３と一体的であり得る。
【００８５】
保護ユニット１４０は選択的に浸透性の材料あるいは選択的に血流（図１の中の矢印）と共に大動脈弓１００の複数の大動脈の側枝・脈管１１６、１１８、１２０内への塞栓物質１５０の通過を選択的に防ぐのに適したユニット１３２を含んでいる。塞栓防御デバイス２００を通す場合、側枝・脈管内の血流は実質的に妨害されない。保護ユニット１４０は、接続点又は接続領域、若しくは選択的に浸透性ユニット１３２で提供される付着点１３１において経血管送達ユニット１３０に永久に接続されるか、あるいは取り付けられている。保護ユニットがその支持要素と一体的であり、かつ支持要素に取り付けられていないが、経血管ユニット１３０から保護ユニット１４０まで横切っている場合、例えば前記接続点又は接続領域が提供され得る。
【００８６】
選択的に浸透性ユニット１３２の特性に依存して、塞栓物質は選択的に浸透性ユニット１３２の中に閉じ込められ得る。選択的に浸透性ユニット１３２はフィルター素材を含み得る。代替的にあるいは追加的に、浸透性ユニット１３２は多孔性物質を含み得、或いは多孔性物質から製造され得る。本開示のデバイスのすべての例では、選択的に浸透性ユニット１３２の素材は編組材料、織物又は、クラスター化された材料を含み得る。特定の態様では、選択的に浸透性ユニット１３２材料は積層されたメッシュを含み得る。例えば、メッシュはポリマーフィルム、例えば穿孔されたポリマーフィルムを含み得る。代替的に、又は追加的に、選択的に浸透性ユニット１３２は、心門から遠ざかるように配向された表面に沿って塞栓物質が滑る特性を有し得、これによって側部脈管を過ぎた塞栓の砕片をそらす。本開示のデバイスの任意の例において、保護ユニット１４０および／または浸透性ユニット１３２は、ドロウンフィルトチュービング（Ｄｒａｗｎ  Ｆｉｌｌｅｄ  Ｔｕｂｉｎｇ）を含んでいるかもしれない、例えばニチノールの外層および／またはタンタル、および／または白金を含むコアを含む。
【００８７】
第１の支承部材１３３は、大動脈弓１００の血管壁部分の組織への並置に適合する。第１の支承部材１３３は大動脈弓１００の内側で、かつ心門から離間した大動脈の側部脈管１１６、１１８、１２０の複数の心門を包囲するように形成される。このように、選択的に浸透性ユニット１３２は図１で示されるように、保護ユニット１４０が大動脈弓１００に位置する場合に、大動脈弓１００中の二次の液量から大動脈の側枝・脈管１１６、１１８、１２０の第１の液量を分離するように配列される。血流は、大動脈弓１００中の第２の液量から、通過する選択された大きさ塞栓粒子を妨げる選択的に浸透性ユニット１３２を介して大動脈の側枝の第１の液量まで生じる。
【００８８】
塞栓防御デバイスは、通常、カテーテル１６０を介して経血管状に大動脈弓へと送達される。送達は、図の例として特に例証されたもの以外に異なる脈管を通ってなされ得る。
【００８９】
本開示の１つの態様によれば、大動脈弓の中で一時的に位置するための折り畳み得る、経血管状に送達し得る塞栓防御デバイス２００は、連結可能か、あるいは接続点１３１から近位に伸びる、経血管状送達ユニット１３０に固定して接続される。デバイス２００は周囲１８０を備えたフレームの形態の第１の支承部材と、塞栓粒子１５０が大動脈弓１００の側部脈管を介して患者の脳まで通過するのを防ぐための周囲１８０内の血液浸透性ユニット１３２を有する。デバイスは、ユニットを保持する少なくとも１つの組織並置保持ユニットをさらに含むが、それはデバイスの送達軸体ではない。組織並置保持ユニットは、デバイスの接続点に対してオフセットする力の印加のために提供される。
【００９０】
組織並置保持ユニットは大動脈弓の内壁へのデバイス２００の組織並置の支持のために設けられる。
【００９１】
接続点に対するオフセットは、例えば周囲１８０に存在する。さらに、それは周囲１８０に隣接し得る。また、周囲１８０内の血液浸透性ユニット１３２の中心に存在し得る。
【００９２】
デバイスが大動脈弓中で位置する場合、安定化力と呼ばれる力は、大動脈弓１００の内壁の方へ加えられるか指図される。力は、矢印３０１によって図に例証された例に存在する。
【００９３】
このように、大動脈弓１００の内壁への周囲１８０の組織並置は、矢印３０１によって例証されるような力によって支援される。それは限定的な柔軟性と弾性を有するので、大動脈弓は反力を提供する。力と反力のこの平衡は、周囲１８０の改善された密閉を伴う。さらに、デバイスが多かれ少なかれ適所にロックされるので、それは、塞栓防御デバイスで大動脈弓の制限された運動を提供し得る。しかしながら、例えば、いわゆるウインドサッカー効果の欠点を防ぐために、本明細書に記載されるように、大動脈弓の移動はまだ存在し得、補償され得る。
【００９４】
例えば、そのように適用された牽引力は、内壁に対してデバイスの周囲を引き得る。力は、移植時に適所にデバイスをロックすることを支援する。
【００９５】
塞栓防御デバイス２００は、このように塞栓が頚動脈に流れ込むのを防ぐために大動脈のアペックスを横切って置くことができるので信頼性がある。それが例えば側部脈管の心門からの砕片の生成を防ぐので、発明性のある解決は医原性ではない。医原性は、医師又は外科医による処置に起因する患者の悪条件に関係がある。内部血管壁又は心門からプラークを擦り落とす側部脈管へ伸びる塞栓防御デバイス内部のアーム、アンカー、デリバリー軸、弓などは、本開示のおかげで必要とされない。塞栓防御デバイス２００は、塞栓粒子をそらすための偏向板であり得る。代替的にあるいは追加的に、それは、実施例において、塞栓粒子をつかむためのフィルターであり得る。デバイスは実施例においてカテーテル２の側部チャネル７を介して例えば大腿部のアプローチを介して送達し得る。側部チャネル・カテーテル２などが、国際特許出願ＰＣＴ／ＥＰ２０１２／００５８３８４に記載されており、それは国際公開第ＷＯ２０１２１５２７６１として本出願の優先日後に公開され、参照によってすべての目的のためのその全体が本明細書に組み入れられる。カテーテルは多数の側部チャネルによって更に改善促進され得、１つの側部チャネル７は、大動脈弓１００に塞栓の防御デバイス２００を送るために提供される。テザー３００は、塞栓防御デバイス２００および送達ユニット１３０と同じチャネルあるいはカテーテルの他のチャネル中に延び得る。ピッグテール・カテーテルはそのような補助の側部チャネル中に提供されるかもしれない。ピッグテール・カテーテルはさらに大腿部のデリバリー・アプローチ中のカテーテルを安定させるために使用され得、大動脈弓の大動脈弁および内壁の環帯に対してカテーテル２を支持する。例えば国際公開第ＷＯ２０１２／０９４１９５Ａ１に記載され、参照によってすべての目的のためのその全体が本明細書に組み入れられる。
国際公開第ＷＯ２０１２／０９４１９５Ａ１の図（１０Ａと１０Ｂ）及び国際公開第ＷＯ２０１２／０９４１９５Ａ１の関連する記載参照。
【００９６】
デバイス２００は実施例において国際公開第ＷＯ２０１０／０２６２４０Ａ１記載されているように側部脈管を介して送達し得る。
【００９７】
デバイスは実施例において例えば所謂直接の大動脈アプローチにより大動脈１００の壁を通って送達し得る。
【００９８】
前記力３０１は並置支援ユニットの種類に依存する牽引力を含むか、牽引力であり得る。
並置保持／支援ユニットは、ついで、能動的牽引ユニットであり得、それは、接続点をオフセットした位置で遠位状に接続された少なくとも１つの操作可能なテザー３００を有する。テザーの遠位接続位置は、牽引力を提供するために塞栓防御デバイスのフレーム、周囲および／または血液浸透性ユニットに位置づけられ得る。テザーは１つ以上の遠位端を有する。遠位端は例えば塞栓防御デバイスの周囲に接続される。テザーの遠位端は、フィルターまたは偏向板の膜のような血液浸透性ユニットに接続され得る。例えば、膜が柔軟でかつ、または弾性の場合、膜は牽引によって移動され得る。
【００９９】
テザー、より正確には、テザーラインは周囲の密閉の程度を制御するために提供される。
テザーは大動脈の組織／大脳動脈への並置の方向に提供される。テザーは、末梢部に接続される塞栓防御デバイスに伝えられたテザーへの引く行為によって能動的な牽引を提供し得る。
【０１００】
テザーは送達ユニット１３０に対して長手方向に移動自在であり得る。このようにデバイス２００は、送達デバイスが送達ユニット１３０によって「送達された」場所に固定されるように、大動脈弓において例えば、導入器のポートの、あるいはそのポートの外側の近位端で位置づけられ得る。その後、本明細書に記載されるように、テザー３００はまだ移動可能で、密閉を改善し得る。
【０１０１】
テザー３００はマルチフィラメントであり得、狭い管腔操縦には特に有利な柔軟な解決を提供する。
【０１０２】
テザー３００は、血液浸透性ユニットを横切ってデバイスの前端まで直接に及び得る。
したがって、中央のラインは引き上げられ得、周囲は内壁に逆らって伸ばされる。
テザーは、前端への上昇力を提供する。テザーが中央のラインにおいて、例えば、小環を介して糸が通されてガイドされる場合、それは、デバイスに沿って分布した直進性の持ち上げ力を提供し得る。例えば、図２、６、７および８を参照されたい。
【０１０３】
少なくとも１つのテザー３００は長手方向に弾性を有し得る。即ち、それは長手方向に伸縮自在であり、かつ弾力的に伸ばされていない長手方向の伸長に戻る。テザーはその全長に沿って弾性であり得る。テザーは１つ以上の弾性部あるいは弾性要素を含み得る。弾性部はバネとして作用するテザーの螺旋状に巻かれた部分であり得る。弾性部は螺旋状に巻かれたストランドの管状の編組であり得る。弾性部は弾性材、好ましくはゴムのような生物学的適合性の材料から製造され得る。このように、牽引力は可変である。非線形の伸長が操作者によって「感じられ」得るので、これは、テザーラインの破断を防ぐためには有利であり得る。テザーが塞栓防御デバイスの密閉を改善するために所望の牽引を適用する張力デバイスである場合、この可変牽引力はさらに有利であり得る。テザーは、例えば、導入器ポートから伸びて、この位置の近位端で固定され得る。弾性は、デバイス及び／又はテザーの近位端に対する大動脈弓の生理的な動作の補償を提供し、同時に組織並置の拘束を維持する。作用力は改善された周辺の密閉を維持するのに適切な特定の範囲内に提供され、同時に大動脈弓は、心臓の鼓動および血液脈波により移動する。
【０１０４】
血液浸透性ユニット１３２は、小環、管状要素、ローラー、開いたポケット織物部分などの少なくとも１つのガイドユニット３２０を有し得る。ガイドユニットはテザーをその近位で受け取り得、血液浸透性ユニット、フランジ又は周囲などのデバイスに取り付けられる。小環などのガイドユニットは、デバイスにおける局所的に制御可能な並置を提供する。牽引力はデバイスの異なる領域に送達され得る。
【０１０５】
デバイスは取付点を有し得、テザーの遠位端がデバイスに接続され、牽引力が周囲へのデバイスの取付点を介して伝達可能である取付点を有し得る。随意に、１つ以上の放射線不透過性の標準マーカーがデバイスに提供され得る。標準マーカーは付着点に設けられ得る。そのような放射線不透過性の要素に付けるか、又は脈管内デバイスに組み入れることができ、例えば、患者の身体の内部にある場合、デバイス２００の配向性の同定を提供するために、フレーム１３３、選択的に浸透性のユニット、ヨーク、スケルトンあるいは他の放射状の支承部材、テザー、小環などに付けられる。放射線不透過性の要素はビードか鉗子であり得る。鉗子の場合には、要素がデバイス２００上にクリンプ（ｃｒｉｍｐ）処理され得る。放射線不透性物質はワイヤーまたはテザーに組み入れることができる。フレーム、ヨークあるいは浸透性ユニット１３２の部分はＤＦＴワイヤーから製造され得る。そのようなワイヤーは、例えば、タンタル、白金および外素材のコア並びに例えばニチノールの外側材料を含み得る。放射線不透過性の要素あるいは標準マーカーは有利なＸ線の視認性およびナビゲーション、デバイスの位置フィードバックおよび制御を提供する。
【０１０６】
いくつかの実施例において、牽引力が心門に関してデバイスの中心になるように、テザーは選択された側部脈管の心門を介して近位状に伸びる。テザーライン３００を引く場合、それは適所にデバイスをロックするために大動脈の内壁に対して周囲でデバイスを引く。このように、デバイスは、テザーのお蔭で選択された側部脈管感謝の心門に関して自己整合する。この機能を得るためにこの開示を読むと、当業者はテザーのために適切なガイドユニットを提供し得る。
【０１０７】
デバイスは、周囲に沿って遠位状に付けられた多数のテザーを含み得る。代替的に、又は追加的に、単一の近位のテザーラインは、複数の（副）テザーラインへと遠位的に分か得る。例えば、テザーは、Ｙの形状で分岐され得る。近位に操作される単一のテザーは、その２つの遠位端点を経て塞栓防御デバイスに対して牽引力を遠位に送達し得る。
【０１０８】
複数のエンドポイントを備えた例は図８に示される。多数のテザーは、多数の遠位端を有するテザーと共に使用され得るか、又は結合され得る。多数のテザーは、デバイスにおいてその基部３３０において（図７および８）近位状に集められ得る。このように、デバイスは、デバイスの周囲に沿って平等に分散した直進性の力を提供する。デバイスは、有利にこのように大動脈弓１００の内部形状に適合し得る。その適応は、テザーにおいて長手方向に弾性部を提供することによりさらにもっと増強され得る。例えば、主管路が実質的に弾性がない一方で、分岐した（副）テザーラインは弾性材から提供され得る。
【０１０９】
いくつかの実施例において、デバイスは周囲での異なる、好ましくは対向する関節間に伸びる少なくとも１つのリブ１３５などの内部構造あるいは外部スケルトンを有し得、テザーは、リブで末梢部に取り付けられる。テザー３００は、このようにリブ１３５に牽引力を適用し得、次には大動脈の内壁組織に向かうデバイス２００の周囲１８０に力を伝える。リブ１３５は梁又はヨークであり得る。それは拡張したデバイス２００の前後軸に関して長手方向（図６および７）あるいは横方向（図４および５）に配列され得る。
【０１１０】
デバイスには複数のそのようなリブ１３５が存在し得る。
【０１１１】
例えば、この内部構造、例えばリブ１３５は、操作者が大動脈弓内のデバイスの配向を制御し、操作者がデバイスを大動脈弓のある特徴に対して押しつけるか、押すか、引くことを可能にする。例えば側部脈管の１つ以上の心門から、およびその心門上で、離間して大動脈弓壁に対してデバイスを押すことを可能にする。外部のスケルトンは内部構造に接続され得る。外部のスケルトンはフレーム１３３であり得、デバイスのために追加的な構造用支持材を提供することができ、デバイスの選択的に浸透性ユニット１３２間の密閉および血管壁の生成を促進することができる。代替的に、浸透性ユニット１３２は、フレーム１３３の境界線を越えて伸びることにより血管壁に対する密閉を浸透性ユニット自体が生成しうる。
【０１１２】
デバイス２００は、治療部位への送達の容易さのためにその前後軸に沿った折り畳みができる。デバイス２００は、介入の心臓学で使用される共通の送達方法との適合性をもつ、例えばＴＡＶＩ処置。デバイスは、側部チャネル・カテーテルを含むなどの送達しシステムへ統合され得る。回収に際して、デバイス２００は元の展開方向に実質的に似ているオ方向で引っ込まされ得る。
【０１１３】
多数の花弁状部あるいはウィング状部を有するデバイス２００は、有利な力配分を得るために花弁状部かウィング状部の１以上の上に１以上のリブを有し得る。
【０１１４】
例えば、デバイスの花弁状部かウィング状部は、大動脈の血流に関して上流に配列され得る。代替的に、あるいは追加的に、デバイス２００は花弁状部を持ち得る。あるいは、デバイスのウィングは大動脈の血流に関して下流に配列され得る。花弁状部またはウィング状部の１つ以上、あるいは各々は、本明細書に記載されるようなテザー、プッシャ、バネのような、組織並置保持ユニットを持ち得る。ウィングは、組織並置保持ユニットによって大動脈の血流に関して上流に配列された花弁状又はウイング状部材を提供することは充分であり得る。下流に配列された花弁状またはウィング状部材は、デバイスの血液浸透性ユニットを通過していく大動脈中の拍動性の血流によって大動脈の内壁組織に十分に押しつけられ得る。しかしながら、接続点からの下流方向に配列された花弁状またはウィング状部材において組織並置保持ユニットを有することは、大動脈における圧力変化中にユニットを保持するそのような組織並置に有利に支援され得る。大動脈圧は拡張期に、より低く、心収縮期中によりも漏る傾向があり得る。組織並置保持ユニットは心拡張期中に充分に支持するための寸法であり得、および収縮期圧サポートのための寸法より身体中への挿入により有利である（より小さく、より少ない量）である。
【０１１５】
組織並置保持ユニットは、拍動性の血流によって引き起こされる血液浸透性ユニット１３２の移動を制限し得る。例えば、リブ１３５を持っていることはこの制限のある移動範囲を提供し得る。リブおよび／またはテザーは、血液浸透性ユニットの移動を制限し得る。デバイス２００にテザー３００を接続したことは、直進性の牽引力を提供し得、拍動性の圧力変化によって引き起こされた周囲１８０上の力が心臓の鼓動の拍動流中に平等に分布されるので、特に密閉を改善した。
【０１１６】
リブ１３５は血液浸透性ユニット１３２を超えて近位状に伸びるヨークであり得る。ヨークは、デバイス２００の少なくとも一部の長手方向に伸び得る。遠位のテザー端部は、リブ１３５に直接付けられ得る。遠位のテザー端部はリブにおいてガイドユニットにより周囲１８０へガイドされ得、牽引力の有利な分布を提供する。
【０１１７】
デバイス２００は多数のテザー、あるいは多数のストランドに遠位状に分割する単一のテザーを含み得る。実施例において、２つのテザーあるいはストランドが、デバイスの基部からＹ形状の周囲へ遠位状に付けられている（図８参照）。
【０１１８】
デバイス２００は少なくとも１つの小環を含み得、１以上のテザーは、少なくとも１つの小環を介して糸が通されている。小環は、デバイス２００の枢動点および／または基部３３０に好ましくは提供され得る。血液浸透性ユニットは柔軟であり得る。それは例えば定義された有孔性あるいは穴部を備えた平坦な膜である。有孔性または穴部は、微小なワイヤー、網又はメッシュ若しくは有孔フィルムの一部であり得、又は含まれ得る。例えば、５０−９５０ミクロン（例えば５０、６０、７０、８０、８５、９０、１００、１２０、１３５、１５０、２５０、３５０、４５０、５５０、６５０、７５０、８５０、９５０ミクロン以上）の穴部あるいは有孔性のメッシュ又はシート。有孔フィルムはデバイスと共に介在物に先立って穿孔され得る。フィルムは、また例えばレーザードリルまたは電気火花によって）穿孔されたデバイスと共にポスト介在物であり得る。有孔フィルムが存在する実施例では、穴は一定又は変化した穴パターン、一定又は変化した穴密度、及び／又は一定又は変化した穴の大きさをもつことができる。血液浸透性ユニット１３２は編まれるか、縫われるか、クラスターに分けられるか、結合されるか、又は結ばれるかされ得る。
血液浸透性ユニット１３２は非分解性の材料であり得る。例えばポリカーボネート、ポリテトラフルオロエチレン（ＰＴＦＥ）、拡張ポリテトラフルオロエチレン（ｅＰＴＦＥ）、ポリフッ化ビニリデン（ＰＶＤＦ）、ポリプロピレン、多孔性のウレタン、ニチノール、フルオロポリマー（Ｔｅｆｌｏｎョ）、コバルト・クロム合金（ＣｏＣｒ）、およびパラアラミド（Ｋｅｖｌａｒョ）又は織物、例えばナイロン、ポリエステル（Ｄａｃｒｏｎョ）、又は絹。血液浸透性ユニット１３２は、材料の組合せであり得る（例えばＤＦＴとニチノールワイヤーの組合せ）。血液浸透性ユニット１３２もトロンボゲン形成反応を防ぐために反血栓形成の物質で覆われ得る。デバイス２００の大きさは様々な患者群（例えば小児、成体、又は特定の大動脈の解剖学的分類）に適用させるためにあらかじめ分類されあらかじめ形成され得る。
【０１１９】
テザーは、膜に遠位状に取り付けられ得る。こうしてテザーの膜への取り付け位置を含む例えば火山状の形状部へ加えられた引張り力は、膜の平面から膜を上げ得る。火山状の形状は、有利にデバイスの効率を増加させ得る。火山形状の兆部は側部脈管の一部の、心門へと伸びるように配列され得る。粒子の閉込は、火山状の形状の内部の血液が流れる漏斗形状によってこのように改善され得る。高めたフィルター効率はその結果になるだろう。
【０１２０】
牽引ユニットは受動的牽引ユニットを含み得る。受動的牽引ユニットは操作者ｂによって操作されないが、改善された密閉を自動的に提供する。受動牽引ユニットはバネであり得る。受動牽引ユニットは、送達部又はデバイスに対して牽引力を提供するために、フレームの一部など、例えば体温によって活性化される形状記憶要素を有し得る。例えば、デバイスは、デバイスの周囲から伸びる「小翼」を含み得、それは形状記憶性を有する。
別の例はテザーを例えば、デバイスの基部から伸ばすために活性化される形状記憶バネである。テザーの一部は形状記憶部として提供され得る。そのようなテザーは細長い形状で送達され得、次に、引張力を提供するためにテザーを短くして、記憶が誘導された形状に変更した。記憶が誘導された形状は、螺旋状のコイルであり得、記憶が活性化されたテザーの弾性、とりわけ有利な圧力および／または移動補正を可能にする。
【０１２１】
デバイスは、デバイス２００の周囲１８０から放射状に外へ伸びるフランジユニット４００を有し得、例えば、フレーム１３２から伸びる。図１４参照。フランジユニットは、牽引力が提供されるプリテンション用の血液浸透性ユニットの面に関して角度が付けられ得る。密閉が大動脈の中で血圧に支援されるので、フランジユニットはさらに改善された密閉を提供し得る。フランジユニット４００は織物で製造され得る。織物は織られていてもよい。織物は有利な密閉および生物学的適合性を提供するために、ＰＴＦＥ糸から織られ得る。織物はデバイスのフレームのまわりのカラーとして配列され得る。カラーは、フレームに取り付けられたフィルター膜の反対の方向に伸び得る。フランジユニット４００は内壁組織へのデバイスの周囲で凹部を縮小するか回避することに備える。塞栓の粒子がそのような凹部に集まり得るので、これは特に有利である。その後、デバイスが除去されると、これらの集められた粒子は、側部脈管内に流され得る。周囲に集まる粒子の回避はこの潜在的な問題を低減する。
【０１２２】
図１０は、側部チャネルおよびテザーを備えた塞栓防御デバイスを備えた大腿部のアプローチを介して送達されるカテーテルを例証する概略図である。図で示されるように、デバイスは大動脈の内壁組織への引張力の上方移動変換を可能にするヒンジ板３４０を含んでいる。引張りはこのように押圧力に変換される。
【０１２３】
組織並置保持ユニットは押圧ユニット３５０（図１３）を含み得、力は、フレーム、周囲および／または血液浸透性ユニットに対する押圧力を含んでいる。押圧ユニットは押圧力を提供し、内壁の周囲を押圧する。
【０１２４】
組織並置保持ユニットは磁気要素を含み得、力は磁力を含む。
【０１２５】
磁力は以下のように提供され得る。デバイス２００は、第１の磁気極性の磁気要素を含む。第２の磁気要素は大動脈弓の外部に配列され得る。第２の磁気要素には第１の磁気極性と反対の磁気極性がある。このように、第１及び第２の磁気要素は互いに引きつける。デバイス２００は、周囲１８０の密閉を改善する力を提供する大動脈弓壁に向かって引かれるだろう。当業者は、第２の磁気要素を適用するために適切なタイミングおよび位置を認識するだろう。例えば、塞栓防御デバイスが大動脈弓の中に位置した後、それは患者の胸部上で適切な方向に身体の外部で配列され得る。
【０１２６】
反発性の磁力は同じ原理に基づくが、同一の極性の第１と第２磁気要素に基づいて得られる。デバイス２００が側部チャネル７から解放されて位置する時、第２の磁気要素は、例えば部分であるか、あるいは、カテーテル７若しくはその側部チャネルを介して進み得る。このように、デバイスを内部の大動脈の壁に押しつける力が提供される。
【０１２７】
磁気要素はテザー、プッシャーなどに加えて、或いは代替的に提供され得る。
【０１２８】
本明細書に記載された医療機器は、使用のために医療の専門家への配分用滅菌容器で一般に包装される。物品は、電子線照射器、γ線照射、紫外線放散、化学的滅菌法および／または無菌の生産および包装手順の使用のような様々なアプローチを使用して滅菌することができる。ラベルは、例えば物品が完全に機能する状態で残ると予想される適切な日付で、物品に付けることができる。構成部品は、個々にあるいはともにパッケージにすることができる。本明細書に記載された各種機器は、便宜上キットで一緒に包むことができる。
キットは例えば更に、食品と薬の投与による介在物のために指定された情報など使用及び／又は警告説明書でラベルを付けることを含む。そのようなラベル付けは、包装の外部、および／または包装内の離型紙上に存在し得る。
【０１２９】
デバイス２００は、大動脈弓において、偏向板および／またはフィルターなどの塞栓防御デバイスの位置決め方法で使用されてもよい、示される。前記方法は大動脈弓に経血管状に塞栓防御デバイスまで送達することを含んでおり、デバイスの接続点１３１から近位状に伸びる経血管送達ユニット１３０に接続されている。さらに、前記方法は大動脈弓中のデバイスの位置を決めることを含んでいる。前記位置決めは、デバイスのフレームを拡張し、大動脈弓における血液浸透性ユニットを平坦にすることを含んでおり、また、デバイスの周囲を大動脈弓の内壁に並置させ側部脈管の心門を少なくとも覆うことは、頚動脈を含んでいる。こうしてデバイスは、塞栓粒子が大動脈の側部脈管を経て患者の脳まで通って進むのを防いでいる。
【０１３０】
方法６００の例では、デバイス２００は、左橈骨動脈における導入器を介したアクセスで標準セルディンガー法および透視を使用することにより、大動脈弓１００に位置づけられる。一旦折り畳み得る保護装置がカテーテルから送達される／解放されると、それは拡大し、塞栓化した粒子ではなく血液を介在させて、左・右の頚動脈を覆うように置かれる。心臓血管の介在又は心臓手術が終わると、デバイスは再びカテーテル内に引っ込ませられる。
【０１３１】
塞栓物質が患者の大動脈弓から血流と共に側枝脈管に入るのを防ぐ方法６００では、工程６１０によって例証されるように、折り畳み得る塞栓防御デバイス２００は末梢血脈管の中で折り畳まれた状態で皮膚を通して導入される。これは、図１５で概略的に示される。工程６２０によって例証されるように、折り畳み得る塞栓防御デバイス２００は、末梢血脈管および表版枝管脈管１２０によって大動脈弓１００の中で折り畳まれた状態で経血管状に送達される。この目的のために、デバイス２００は送達カテーテル１６０内で折り畳まれ、送達カテーテルを経て大動脈弓１００の内部の展開部位へ導入される。
【０１３２】
デバイス２００は、その付着点でプッシャかワイヤーのような経血管送達ユニット１３０に付けられている。折り畳み得る塞栓防御デバイスの塞栓保護ユニット２００は、大動脈弓１００中で拡張し、工程６３０によって例証される。
【０１３３】
拡張工程は、付着点１３１から保護ユニットの第１の部分１４５、および保護ユニットの第２の部分１４６を非対称的に拡張する工程を含み得る（図１を参照）。第１の部分１４５は、大動脈弓１００の下行大動脈１１４への第１の方向に拡張する。第２の部分１４６は、大動脈弓１００の上行大動脈１１２への第２の方向に拡張する。非対称の配置は、防御されるために他の側枝脈管１１６および１１８に関して送達脈管１２０からのデバイス２００の位置決めを促進する。この方法ステージは工程６４０によって例証される。
【０１３４】
大動脈弓１００中の保護ユニット２００の位置決め工程は、工程６５０によって例証されるように、大動脈弓１００の血管壁部分の組織への保護ユニット２００の選択的に浸透性のユニット１３２の第１の支承部材１３３を並置する工程を含む。保護ユニット２００の第１の支承部材１３３は、保護ユニットの選択的に浸透性のユニット１３２の周囲１８０で少なくとも部分的に配列される。
【０１３５】
前記方法は第１の支承部材１３３により大動脈弓１００中の大動脈の側枝脈管１１６、１１８、１２０の複数の心門を包囲し、心門から離間して保護ユニット２００の位置を決める工程を含んでいる。この方法ステージは工程６６０によって例証される。
【０１３６】
したがって、方法工程６７０で例証されるように、保護ユニット２００はその拡張した状態で大動脈弓１００に位置づけられる。塞栓の物質１５０は、保護ユニット２００の選択的に浸透性の物質によって大動脈弓１００の複数の大動脈の側枝脈管１１６、１１８、１２０の中への血流と共に通過するのを有効に妨げられる。方法工程６８０を参照。
【０１３７】
前記方法は保護ユニット２００が大動脈弓１００に位置する場合に、大動脈弓中の第２の液量から大動脈の側枝脈管の第１の液量を同時に分離することを提供する。
【０１３８】
前記方法は、送達方向の反対方向に拡張した保護ユニット２００を引き、側枝脈管の心門を包囲する大動脈弓１００の脈管組織部分に対して伸長し、締めることを含み得る。この具現化された方法ステージは、工程６９０によって例証される。
【０１３９】
さらに、前記方法は、デバイスのデリバリー軸ではなく、少なくとも１つの組織並置保持ユニットによってデバイスに力を加える工程７００を含んでいる。力は、周囲においてなど、デバイスの接続点にオフセットされて加えられる。デバイスが大動脈弓の中に位置する場合、力は大動脈弓の内壁の方に向けられる。このようにして大動脈弓の内壁の周囲の組織並置が力によって支持される。
【０１４０】
この方法は既知の方法ほど医原性ではない。それは、塞栓防御装置の周囲にさらに改善された密閉を提供する。それは、さらに大動脈弓の心門から砕片の生成を防ぐ。それはいくつかの既知の塞栓防御装置につちえの問題であり得る。
【０１４１】
支持された並置は、大動脈弓の内壁の周囲の並置を改善しており、その結果、改善された並置が内壁に対する周囲の改善された密閉を提供する。
【０１４２】
力は改善された密閉用のデバイスに対して実質的に近位の方向に加えられ得る。
【０１４３】
力を加えることは牽引ユニットによって牽引力を適用することを含み得る。牽引力は大動脈弓の適所にデバイスをロックするために内壁に対してデバイスの周囲を引くことを含み得る。牽引力は、牽引力の提供のためにフレーム、周囲および／または血液浸透性ユニットに遠位状に接続された少なくとも１つのテザーによって適用され得る。
【０１４４】
デバイスは、右鎖骨下動脈からの腕頭動脈、左の頚動脈あるいは左鎖骨下動脈などの側部脈管の１つを介して大動脈弓に送達され得る。それは例えば主カテーテルの側部チャネルにおける大腿部のアプローチでのように下行大動脈経由で大動脈弓に送達され得る。それは上行大動脈の壁を通って大動脈弓に送達され得る。それは「直接大動脈」アプローチと呼ばれるアプローチである。
【０１４５】
大動脈弓の中を流れる栓子がその側枝脈管に入るのを防ぐ方法８００で使用され得るデバイス２００が提供される。前記方法は、大動脈弓まで塞栓の保護を進める工程８０１と、それが側枝脈管の各々の心門を覆うように防御装置を操作する工程８０２を含む。方法は、その周囲でデバイスを密閉して改善するために防御装置に力を加える工程８０３をさらに含んでいる。力の適用は、デバイスのデリバリー軸ではなく、少なくとも１つの組織並置保持ユニットによってデバイスの接続点に対してオフセットした力を適用することを含んでいる。このように、防御装置は、側枝脈管の各々の中への大動脈弓からの工程８０４の血流を許し、栓子が大動脈弓の管腔を妨害せずに、第１及び第２の側枝脈管に入るのを防ぐ。
【０１４６】
大動脈から頚動脈の中への塞栓のフローを制限する方法８１０で使用され得るデバイス２００が提供される。前記方法は、大動脈弓に塞栓防御装置を送達する工程８１１を含んでおり、上行大動脈と下行大動脈の間に伸び、大動脈弓へ塞栓防御装置あるいはその構成部品の位置を決め、頚動脈を入力する塞栓の砕片を防ぐ。さらに、それは、塞栓防御装置に遠位状に接続された少なくとも１つのテザー部材を近位へ伸ばし、大動脈弓の内部血管壁に対する塞栓防御装置の並置と流体密封性の程度を制御する工程８１２を含む。
【０１４７】
心臓上で血管内の処置を実行する方法８２０で使用され得るデバイス２００が開示される。前記方法は、次の脈管のうちの１つを通って大動脈弓に塞栓防御装置を送達する工程８２１を含む。
右ストランド骨下動脈から腕頭動脈、左頚動脈、左ストランド骨下動脈又は大腿部の流入路の中などの下行大動脈；あるいは前記方法は、上行大動脈の壁を通って大動脈弓に塞栓防御装置を送達する。それは、頚動脈を入力する塞栓の砕片を防ぐために大動脈弓へ塞栓防御装置の位置を決める工程８２２をさらに含んでいる。前記方法は、その周囲でデバイスを密閉して改善するために防御装置に力を加える工程８２３を含んでおり、それはデバイスのデリバリー軸ではなく、少なくとも１つの組織並置保持ユニットによってデバイスで接続点に対してオフセットした力を適用することを含んでいる。このように、前記方法は作用力による大動脈弓の内部の血管壁に対する塞栓防御デバイスの並置及び流体密封性の程度を制御することを可能にする。さらに、前記方法は、最初のカテーテルを大動脈弓において下行大動脈、左鎖骨下動脈あるいは大動脈の血管壁を介して心臓まで送達し、心臓の血管内の処置に関係する少なくとも１つの工程への影響を及ぼす工程８２４を含んでいる。
【０１４８】
力を加える工程は、塞栓防御デバイスに遠位状に接続された少なくとも１つのテザー部材を近位に伸ばすことを含んでいる。
【０１４９】
塞栓防御デバイスを送達する工程は経血管的になされ得、当該塞栓防御デバイスを送達後に第１のカテーテルを送達する工程がなされ得る。
【０１５０】
第１のカテーテルを送達する工程は、第１のカテーテルの遠位端を適所にロックするために上行の大動脈弓中のバルーンを拡張して第１のカテーテルに取り付けられたバルーンを置く工程を含み得る。バルーンは、前記カテーテルとドーナツ形状の内輪の間でフィルターを有するドーナツ形状を有し得る。
【０１５１】
方法で使用される塞栓防御デバイスは、第２のカテーテルの遠位端あるいは第１のカテーテルの個別のチャネルから伸び、その結果、塞栓防御デバイスの場所が第１のカテーテルの場所から独立して調節することができる。
【０１５２】
第１のカテーテルを送達する工程は、血管内の処置と無関係に、第１のカテーテルの別のチャネルを介して塞栓防御デバイスを送達する工程と同時に実行され得る。心臓の血管内の処置は、心臓弁の除去、人工弁の配置あるいは心臓弁の再建に関する少なくとも１つの工程を含み得る。
【０１５３】
これは、経皮的な弁置換術を含む弁形成術のように、心臓弁膜症の治療を含み得る。その処置は、最小の侵襲性の手枝で折り畳み得る大動脈の心臓弁の移植に関する経カテーテル大動脈の心臓弁術（ＴＡＶＩ）であり得る。
【０１５４】
塞栓防御デバイスは大動脈弓から取り除かれた後、血管内処置がなされる。
【０１５５】
＜カテーテル装置は塞栓保護ユニットを含んでいる。＞
【０１５６】
図１６ａ−ｃ、１７ａ−ｃ、１８ａ−ｃ、１９ａ−ｂ、２０ａ−ｃはカテーテル装置（５００）を例証し、該カテーテル装置は、心臓弁（６）において、上行大動脈から下行大動脈まで塞栓の砕片の偏向のために大動脈弓に一時的に位置づけるための塞栓防御デバイス（２００）を位置づけるための管腔および遠位端を備えた細長いシース（５０３）を含み、該塞栓保護装置は接続点（１３１）から近位へ伸びる経血管送達ユニット（１３０）に連結可能であり、該塞栓保護装置は、周囲を備えたフレーム、前記周囲内の血液浸透性ユニットであって、塞栓の粒子が前記大動脈弓のわきの脈管内の大動脈弁下流への血流と共に該血液浸透性ユニットを通って患者の脳へ通過するのを防ぐための血液浸透性ユニット、および前記大動脈弓に、前記カテーテルから及び、前記塞栓防御デバイスの前記接続点への安定化力オフセットの適用のために保持点（５０２）で前記塞栓防御デバイスに付けられている少なくとも１つの組織並置保持ユニット（３００と３５０）、を有し、前記カテーテル装置が、前記大動脈弓の内壁への前記周囲の組織並置が安定化および周辺の密閉の改善のために前記力に支援されるように前記大動脈弓の中で位置するときに、前記塞栓防御デバイスは、前記周囲などで、前記心臓から遠位状に、および前記周囲の縦の伸長に垂直な方向に前記大動脈弓の内壁に向かって前記安定化力を提供する。
【０１５７】
安定化力は牽引力を含み得、前記並置保持ユニットは能動的牽引ユニットを含み得、該能動的牽引ユニットは少なくとも１つの操作可能なテザー（３００）を有し、該テザー（３００）は前記接続点でオフセットした前記保持点で遠位状に、例えばは前記牽引力を提供するために前記フレーム、周囲および／または血液浸透性ユニットに接続される。
【０１５８】
前記機械的組織並置ユニットは押圧ユニット（３５０）を含み得、そして、前記力は、前記内壁への前記押圧力および前記周囲の押圧を提供するための前記フレーム、周囲および／または血液浸透性ユニットに対する押圧力を含む。
【０１５９】
少なくとも１つのテザーあるいは押圧ユニットは長手方向の弾性であり得、これによって前記力は、塞栓防御デバイスに対する前記大動脈弓の生理的な動作を補償し同時に前記組織並置を維持するために可変である。これは上述されるような利点を提供する。
【０１６０】
血液浸透性ユニットは少なくとも１つガイドユニット、例えばテザー又は押圧ユニットをその遠位端で近位状に受け取るための小環をガイドし得、該ガイドユニットの遠位端で前記血液浸透性ユニット、フランジあるいはテザーに付けられる。これは上述されるような利点を提供する。
【０１６１】
塞栓防御デバイスは付着点を有し得、前記テザー又は押圧ユニットの遠位端が接続され、随意に、前記付着点で放射線不透過性の標準マーカーが付着される。これは上述されるような利点を提供する。
【０１６２】
手術中のテザーは近位状に、選択された側脈管内に心門を介して伸び、その結果、牽引力は前記心門に関してデバイスを中心に位置づけ、適所にデバイスをロックするために前記内壁に対してデバイスを引き、これによってデバイスは、前記選択された側部脈管の心門に関して自己整合する。これは上述されるような利点を提供する。
【０１６３】
カテーテル装置は、前記周囲に沿って遠位状に付けられた多数のテザーを含む。これは上述されるような利点を提供する。
【０１６４】
フレームは、異なる、前記周囲の関節間に伸びる少なくとも１つのリブを含み得、そこでは、前記テザー又は押圧ユニットは、前記リブで遠位状に付けられる。これは上述されるような利点を提供する。
【０１６５】
異なる関節は対向する関節であり得る。これは上述されるような利点を提供する。
【０１６６】
リブは前記血液浸透性ユニットを超えて近位状に伸びるヨークであり得る。これは上述されるような利点を提供する。
【０１６７】
ヨークは、前記塞栓防御デバイスの少なくとも一部の長手方向に伸び得る。これは上述されるような利点を提供する。
【０１６８】
カテーテル装置は多数のテザーあるいは多数のストランドに遠位状に分割する単一のテザーを含み得る。これは上に記述されるような利点を提供する。
【０１６９】
２つのテザーあるいはストランドは、前記塞栓防御デバイスの基部からＹ形状に前記周囲に遠位状に付けられ得る。これは上に記述されるような利点を提供する。
【０１７０】
カテーテル装置は少なくとも１つの小環を含み得、そこでは１以上のテザー又は押圧ユニットは、少なくとも１つの小環を介して糸が通されている。これは上に記述されるような利点を提供する。
【０１７１】
前記１以上のテザーは、前記デバイスの基部の枢動点の少なくとも１つの小環を通して糸が通されている。これは上に記述されるような利点を提供する。
【０１７２】
血液浸透性ユニットは定義された有孔性あるいは穴部を備えた平坦な膜のように、柔軟であり得、テザー又は押圧ユニットが前記膜に遠位状に付けられ、その結果、牽引力あるいは押し力は、加えられた時、前記膜の平ら膜を上昇させる。これは上に記述されるような利点を提供する。
【０１７３】
牽引又は押圧力は、適用された時、前記膜の平面から前記膜を上昇させ得る。その結果、前記膜の火山形状が前記テザー又は押圧ユニットの取付位置で前記膜に提供される。これは上に記述されるような利点を提供する。
【０１７４】
牽引ユニットあるいは押圧ユニットは牽引又は押圧力を提供するために、受動的牽引ユニットを含み得る。これは上に記述されるような利点を提供する。
【０１７５】
受動的牽引あるいは押圧ユニットはバネまたは形状記憶素子であり得る。これは上に記述されるような利点を提供する。
【０１７６】
周囲は、前記フレームから放射状に外へ伸びるフランジユニットを含み得る。これは上に記述されるような利点を提供する。
【０１７７】
フランジユニットは、予め引張用の前記血液浸透性ユニットの面に関して角度が付けられうる。前記安定化力は予め引張に対して提供し得る。これは上に記述されるような利点を提供する。
【０１７８】
組織並置保持ユニットは磁気要素を含み得、前記安定化力は磁力を含む。これは上に記述されるような利点を提供する。
【０１７９】
図（１６ａ−ｃ、１７ａ−ｃ、１８ｃ、１９ａ−ｂ）で例証されるように、押圧ユニットは前記塞栓防御デバイス保持点と、前記カテーテル上の遠位の接続点（５０１）の間で接続された遠位ガイド要素（３５０）を含み、そして、前記遠位ガイド要素は、塞栓防御デバイスが折り畳まれ、実質的に前記カテーテルのシースに一致する送達状態と、塞栓防御装置が拡張する展開状態とを有し、それによって前記周囲は、大動脈弓の内壁との実施的に並置状態にあり、それによって、前記送達状態から前記展開状態に移動すると、前記遠位ガイド要素は塞栓防御デバイスを前記内壁に向けてガイドする。ガイド要素が防御デバイスを正しい位置に有効にガイドするので、これは大動脈の壁に対する塞栓防御デバイスの改善された密閉を提供する。押圧ユニットによって働かせられたガイド要素および関連する力の移動は、図１６ｂ−ｃにおいて矢印'３０１および３０１によって例証される。
さらに、心のずれが有効に防がれるように、遠位のガイド要素は、カテーテルに対して塞栓防御装置を有効に安定させる。
【０１８０】
遠位のガイド要素は、前記保持点で前記塞栓防御デバイスの遠位部に接続され得る。図１６ａ−ｃで例証されるように、塞栓防御デバイスの遠位部で支持を有することによって、その整列が改善される。代替的に又は追加的に、さらなるガイド要素（３５０'）は、図で１８ｃ示されるような塞栓防御デバイスの長さに沿って提供され得る。
【０１８１】
遠位のガイド要素は形状記憶材料を含み得、拘束がない場合に展開した状態に向かおうとすることで前記送達状態から弾力的に展開した状態に移動可能である。これは、ガイド要素の有効かつ単純な展開を提供し、それによって塞栓防御デバイスを提供する。弾力のあるガイド要素は、塞栓の保護フィルターがカテーテル装置に関して移動することを可能にし得、それによって、鼓動する心臓を随伴し、密閉を維持する。
【０１８２】
代替的にあるいは追加的に、遠位のガイド要素は、前記送達ユニットの押圧動作によって、前記送達状態から前記展開状態まで移動可能であり得る。したがって、送達ユニットは、安全な展開のためにガイド要素と共に有効に塞栓防御デバイスを解放することができる。
【０１８３】
遠位のガイド要素は、前記遠位の接続点のまわりで枢動自在であり得る。これは、カテーテルからの効率的な展開方法を可能にする。
【０１８４】
遠位のガイド要素は、前記カテーテルに対する前記塞栓防御デバイスのためのサポート支柱として形成され得る。したがって、フィルターの増強された支持が維持される一方で、組織と直接接触して安定する要素を有する先行技術のデバイスの場合の組織を破損する危険がない。組織損傷および塞栓の解放の危険性は、支援により組織に直接接近するときに生じ得るが、大幅に低減される。
【０１８５】
カテーテル装置は開口部（５０４）を含み得、該開口部を介して、塞栓防御デバイスが展開可能である。図１７ａ参照。これはロープロファイルのカテーテル装置を可能にし、それは、アーチおよびカテーテルの外側のより多くの利用可能空間において滑らかに滑る。
【０１８６】
開口部は、前記シースの長手方向における前記塞栓防御デバイスの長さに実質的に沿って伸び得る。これは、塞栓防御デバイスのより容易な解放を可能にする。
【０１８７】
塞栓防御装置は、遠位方向に前記送達ユニットを押圧することによって前記開口部から送達し得、これによって前記遠位のガイド要素は、前記壁に対してフレームをガイド及び支援するために展開した状態を仮定する。それによって、配備の容易さはデバイスを使用するのにコンパクトさと容易さを提供する。
【０１８８】
カテーテル装置は、前記塞栓防御デバイス用の長さ方向の区画（５０５）を含み得る。前記塞栓防御デバイスは、塞栓防御デバイスが解放前に正確に位置づけられ、他の構成部品あるいは操作具との干渉を回避することを確認し得る解放前に専用スペースを有し得る。
【０１８９】
塞栓防御デバイスは前記長手方向の区画において予め設けられ得る。これは、それが単に拡張されることだけで必要であるので、塞栓防御デバイスが正確に位置付けられ、処置を単純化する確実性を増加させる。
【０１９０】
塞栓防御デバイスは前記開口部を介して前記区画の圧縮した形状から移動可能であり得る。区画は圧縮したフィルターに適合するような寸法にされ、開口部は両方が圧縮した形状でフィルターを抑制するような寸法にされ、送達ユニットによって押圧される場合に、以下に説明されるように拡張器によって、あるいは区画を超えて位置づけられた抑制部を除去することによって、フィルターがそこを通って送達されることを可能にする。
【０１９１】
カテーテル装置は、前記シースにおいて移動可能な長手方向の拡張器（５０６）を含み得る。そこでは前記長手方向の区画は、前記長手方向の拡張器によって配列される、図１７ｂ。一旦塞栓防御デバイスが展開し、拡張器が引っ込められると、圧縮した塞栓防御デバイスのためのスペースは、後でそれを削除することができ、カテーテル装置を使用するために再びコンパクトさと容易さを可能にする。
【０１９２】
開口部は前記シース中で配列され得、近位の方向に前記長手方向の拡張器を引っ込めるとき、塞栓防御デバイスが前記開口部を介して前記長手方向の区画から押し出され得る。したがって、上述されるように、塞栓保護デバイスの解放及びその展開、区画の除去および拡張器の引っ込めることは、増強されより安全な処置のために単一の動作で提供される。
【０１９３】
代替的に、図１７ｃに例証されるように、カテーテル装置は前記シースの外側で放射状に抑制する外部シース（５０７）を含み得、前記塞栓防御デバイスを圧縮した形状で抑制するのに適し、塞栓防御デバイスを展開した状態で解放するために伸縮自在である。これは、安全な処置および増加した患者安全性を提供する塞栓防御デバイスの展開の効率的な方法を提供する。
【０１９４】
カテーテル装置は前記シースの外側で放射状におよび抑制する外部シース（５０７）を含み、塞栓防御デバイスを圧縮した形状で抑制するのに適し、前記塞栓防御デバイスを展開した状態に解放するために近位の方向に伸縮自在であり、これによって前記遠位のガイド要素は、前記壁に対してフレームをガイド及び支援するために展開した状態を仮定する。
【０１９５】
カテーテル装置は、前記上行大動脈のカテーテルを中心に位置づけるのに適した、中心化ユニット（５０８'および５０８）を含み得、前記中心化ユニットは放射状に拡張可能な構造を含む。これは、心臓上にカテーテルの遠位部の正確な位置決めを可能にするが、それは正確な処置の実行には基本である。カテーテルの最適な位置決めを可能にし、同時に処置から解放され塞栓から大動脈弓の側枝脈管を有効に防御するなる相乗効果は、それによって提供され、大動脈弓を介して実行された処置の安全性を最適化し、高め、後の合併症の危険を減少させる。
【０１９６】
放射状に拡張可能な構造は、膨張可能なバルーン'５０９および５０９を５０９"を含み得る。
これは、組織に対する安全な中心化と柔軟な並置を可能にする。
【０１９７】
膨張可能なバルーンは、図１８ｂで例証されるように、前記カテーテルの放射状の外周のまわりに配置された複数の膨張可能な要素（５０９'および５０９、５０９"）を含み得る。周辺に配置されることにより、例えば膨張可能な要素の各々の間で類似の角度を有することにより均一に配置されることにより、安全で効率的な中心化が提供される。デバイスは単に１つ又は２つの拡張可能な要素を含み得る。この場合、拡張可能な要素は、位置５１２（図１８ｃ）でカテーテルに有利に付けられ得、カテーテルがその緩んだ直線形状、即ち図１８ｃの左の部分（参照符号５１２で示されている）に向かおうとする場合、大動脈弓の壁に対して最も激しく押圧しようとする。したがって、カテーテルのこの側の近傍に位置した単一あるいは二重の拡張可能な部分は、大動脈弓の中心に向かうカテーテルを押圧するのに十分になりえる。
【０１９８】
拡張可能な２つの部分は、１つの拡張可能な部分上のカテーテルの位置の増加した安定性を提供し得る。拡張可能な１つの部分は大動脈弓中でより少ないスペースを占め得る。フィー・スペースは拡大する部分の使用により増加されるかもしれない、それは大部分はバルーンのように半径方向に単に拡大する。それは、ほとんど球形状に対立するものとして、主として半径方向に膨張した状態で細長く伸ばされ、これは図１８ｂの例証の場合である。下に言及されるように、拡張可能な構造もＮｉＴｉｎｏｌまたはプラスチックなどの別の柔軟性材料から形成され得、さらに以下に述べられ、それは膨張を要求しないが、その代り、放射状に外へ押され、例えば、カテーテルの長手方向に伸びる材料のストリップ又はバンド、若しくは拡張可能なメッシュである。
【０１９９】
拡張可能な構造は実質的に滑らかな方法でカテーテルの外側表面に制限し得る。図１８ｄの例証を参照されたい。カテーテルを進めるとき、これは、組織壁に向かってより少ない摩擦を生成する。バルーンを有する場合、バルーンは、膨張しなかった時、しわのない非常に平滑な面を有する従順な材料から形成され得る。
【０２００】
複数の膨張可能な要素は、個々に及び独立して膨張可能であり得る。したがって、カテーテル装置の遠位の先端の位置は、選択的に異なる放射状の要素を膨張させて空気を抜くことによって心臓に対して調整され得る。
【０２０１】
放射状に拡張可能な構造'５０８および５０８は、代替的にＮｉＴｉｎｏｌあるいは別の形状記憶合金若しくはプラスチックなどの形状記憶材料を含み得、そして、拘束がない場合に展開した状態に向かおうとすることにより圧縮した抑制された形状から拡張した展開した状態に弾力的に移動可能であり、形状記憶材料は、前記上行大動脈のカテーテルを中心化するために展開した状態で前記カテーテルの放射状周囲の周りの周辺に配置される。
これは安全で容易な中心化を提供する。外装５０７あるいは補足外装は膨張を抑制するために拡張可能な構造に関して使用され得、その後、近位へ引っ込ませられ、拡張可能な構造にその拡張した記憶形状を仮定させる。
【０２０２】
カテーテルは遠位の中心化ユニット（５０８'および５０８）を含み得、前記上行大動脈のカテーテルを中心化するのに適し、カテーテルは近位の中心化ユニット（図示せず）を含み得、前記下行大動脈のカテーテルを中心するのに適し、前記近位の中心化ユニットは放射状に拡張可能な構造を含む。これは、さらにカテーテルの位置決めを改善するかもしれない。
【０２０３】
上述されるようなカテーテル装置は、患者の心臓弁領域への、あるいはその処置用の器具を安定させるために医療機器の経血管送達で使用されてもよい。例えば、電気生理学処置あるいは剥離処置など。
【０２０４】
図２３ａ−ｃは中央の支持構造物５１０を例証する。それはフレーム１３３を横切って伸びる。この中枢機構５１０は、大動脈弓に対する付着力を増加させ得、それは血液浸透性の材料自体をサポートし得る、その結果、良好な密閉が得られる。中枢機構はその近位端と遠心端の間の如何なる位置においてもフレーム１３３を横切って伸び得る。図２３ａおよび図２３ｃにおいて、送達ユニット１３０は中枢機構に接続される。これはフィルターの中央部位で一層の増加した押し力に備えるかもしれない。さらに、図で２３ｃ示されるように、これは大動脈弓の最も近位の枝管脈管で組織の近位部と並置した状態で近位の伸長部５１２を有することを可能にする。送達ユニットが近位のフレーム（図２３ｂ）に接続されるとき、その場合と比較して、送達ユニット１３０から近位の伸長に適用される制限がないので、近位の伸長は、組織に非常に柔軟で、かつ従順であることを可能にし、それは密閉能力を増加させる。
【０２０５】
図２３ｄは、血液浸透性の材料１３２がフレーム１３３を超えた距離５１１を拡張するかもしれないことを例証する。これは個別の吸収するユニットを付ける必要なしにデバイスを製造するのに容易であることを提供する。それは、組織への柔軟な付着およびデバイスの良好な密閉能力を可能にする能力を有する。
【０２０６】
図２１は、大動脈弓中のカテーテル装置（５００）の位置を決める方法（９００）を例証し、該方法は、大動脈弓における、偏向板および／またはフィルターのような塞栓防御デバイス（２００）を経血管状に送達する工程（９０１）を含み、前記塞栓防御デバイスは塞栓防御デバイスの接続点（１３１）から近位に伸びる経血管送達ユニット（１３０）に接続され、前記方法は、前記大動脈弓において塞栓防御デバイスを位置決めする工程（９０２）であって、デバイスのフレームを拡大する工程（９０３）と前記大動脈弓における血液浸透性ユニットを平坦にする工程を含み、もたらす（９０４）、側部脈管内の粒子が患者の脳まで通過するのを防ぐために頚動脈を含む側部脈管の心門を少なくともカバーするように前記塞栓防御デバイスの周囲に前記大動脈弓の内壁との並置をもたらしてなる大動脈弓において塞栓防御デバイスを位置決めする工程（９０２）；および、前記カテーテルから前記大動脈弓に伸びる少なくとも１つの組織並置保持ユニット（３００と３５０）によって安定化力を加える工程（９０５）であって、前記保持点（５０２）で前記塞栓防御デバイスに付けられ、前記力は、前記周囲でのように前記塞栓防御デバイスの前記接続点に対してオフセットして適用され、前記大動脈弓の内壁に向かって、前記心臓から離れて、前記周囲の長手方向の伸長に対して垂直な方向に前記安定化力を提供する前記大動脈弓の内壁の方へ向けられ、前記カテーテル装置が前記大動脈弓の中で位置づけられ、その結果、前記大動脈弓の内壁への前記周囲の組織並置が、安定および辺縁の密閉の改善のために前記安定化力によって支持される。
【０２０７】
支持された並置が前記大動脈弓の前記内壁への前記周囲の並置を改善し、その結果、改善された並置が前記内壁に対する前記周囲の改善された密閉を提供する。
【０２０８】
前記方法は前記改善された密閉のために前記デバイスに対する実質的に近位の方向に前記安定化力を加える工程を含み得る。
【０２０９】
前記安定化力を加える工程は牽引ユニットによって牽引力を適用する工程を含み得る。
【０２１０】
前記方法は、前記引張力によって、前記大動脈弓中の適所にデバイスをロックするために前記内壁に対して前記心臓から離れて前記デバイスの周囲を引く工程を含む。
【０２１１】
前記方法は前記引張力の提供のために前記フレーム、周囲および／または血液浸透性ユニットに遠位状に接続された少なくとも１つのテザーによって前記牽引力を適用する工程を含んでいるかもしれない。
【０２１２】
塞栓防御デバイスは、右鎖骨下動脈からの腕頭動脈、左の頚動脈、左鎖骨下動脈あるいは大腿部のアプローチ中で、あるいは上行大動脈を通るなど下行大動脈のような前記側部脈管の１つを介して前記大動脈弓に送達されるかもしれない。
【０２１３】
前記安定化力を加えることは押圧ユニットによって押し力を適用する工程（９０６）を含んでいるかもしれない。
【０２１４】
前記押圧力を適用する工程（９０７）は、塞栓防御デバイスを折り畳んだ状態から展開した状態までガイドすることを含むかもしれない、前記塞栓防御デバイスは前記塞栓防御装デバイスの保持点と前記カテーテル上の遠位の接続点（５０１）の間に接続された遠位のガイド要素（３５０）によって、大動脈弓の内壁との並置に広げられる。これは上述されるような利点を提供する。
【０２１５】
前記方法は前記遠位のガイド要素によって前記フレームの遠位端を支持する工程（９０８）を含むかもしれない。これは上述されるような利点を提供する。
【０２１６】
前記方法は前記送達ユニットによって前記カテーテル中の長手方向の区画（５０５）から塞栓防御デバイスを押す工程（９０９）を含み得、これによって、前記遠位のガイド要素は、前記壁に対してフレームをガイドし、支持するために展開した状態を仮定する。これは上述されるような利点を提供する。
【０２１７】
前記方法は長手方向の区画（５０５）から前記塞栓防御デバイスを押す工程（９１０）を含み得、前記塞栓防御デバイスは近位の方向に前記縦の拡張器を引っ込ませる時、拡張器（５０６）の中で配列され、前記カテーテル内に移動可能である。これは上述されるような利点を提供する。
【０２１８】
前記方法は、放射状に拡張可能な構造を含む中心化ユニット（５０８、５０８'、５０９、５０９´、５０９"）によって前記上行大動脈のカテーテル（９１１）を中心化する工程を含むかもしれない。これは上述されるような利点を提供する。
【０２１９】
方法は前記カテーテルの放射状の外周のまわりで周辺に配置された、複数の膨張可能な要素（５０９、５０９'、５０９"）によってカテーテルを中心化する工程（９１２）を含み得る。これは上述されるような利点を提供する。
【０２２０】
前記方法は拘束がない場合に展開した状態の方へ努力することにより圧縮した抑制された形状から拡張した展開した状態まで弾力的に移動可能な形状記憶材料によってカテーテルを中心化する工程（９１３）を含み得、形状記憶材料は、前記上行大動脈のカテーテルを中心化するために展開した状態で前記カテーテルの放射状周囲の周りの周辺に配置される。これは上述されるような利点を提供する。
【０２２１】
前記方法は、患者の心臓弁領域への医療機器の経血管送達（９１４）あるいは電気生理学処置（９１５）あるいは剥離処置（９１６）による処置などの処置用の器具を安定させることを含むかもしれない。
【０２２２】
図２２ａは、大動脈弓の中で流れる塞栓がその側部脈管に入るのを防ぐ方法（１０００）を例証し、前記大動脈弓に（１００１）塞栓の保護を進める工程と、そしてそれが側枝脈管の各々の心門を覆うように防御装置を操作する工程（１００２）を含み、その周囲で前記デバイスを密閉して改善するために前記防御装置に（１００３）力を加える工程を含み、前記塞栓防御装置の遠位の保持する点とカテーテル上の遠位の接続点（５０１）の間で接続された遠位のガイド要素（３５０）によって前記デバイスにおける接続点に対してオフセットした力を加える工程を含み、、前記防御デバイスは、側枝脈管の各々への大動脈弓からの血流を許すが、塞栓が大動脈弓の管腔を妨害せずに、第１及び第２の側枝脈管が入るのを防ぐ。
【０２２３】
図２２ｂは心臓上で血管内の処置を実行するための方法（１１００）を例証し、該方法は、次の脈管のうちの１つを通って大動脈弓に（１１０１）塞栓防御デバイスを送達する工程：右ストランド骨下動脈から腕頭動脈、左頚動脈、左ストランド骨下動脈又は大腿部の流入路の中などの下行大動脈；あるいは上行大動脈の壁を通って；頚動脈に入る塞栓の砕片を妨げて大動脈弓へ、塞栓防御デバイスの位置を決めるために、その周囲で前記デバイスを密閉して改善するために前記防御装置に（１１０１）安定化力を加える工程、前記力によって大動脈弓の内部の血管壁に対する塞栓防御デバイスの並置と流体密封性の程度を制御する前記デバイスの送達軸ではなく、少なくとも１つの組織並置保持ユニットによって前記デバイスの接続点に対してオフセットした力を適用する工程を含み、および、下行大動脈、少なくとも１つの遠位のガイド要素（３５０）を伸ばすことにより安定化力を心臓に適用する（１１０３）血管内の処置に関連する少なくとも１つの工程を達成する心臓への大動脈弓の左鎖骨下動脈あるいは大動脈血管壁を通って第１のカテーテルを送達する工程（１１０２）であって、前記塞栓防御装置の遠位の保持する点とカテーテル上の遠位の接続点（５０１）の間で接続されてなる工程を含み、前記送達する工程が上行大動脈弓中のバルーンを拡大して第１のカテーテルにマウントされたバルーンを置くことを含む。
【０２２４】
前記バルーンは、前記カテーテルと前記ドーナツ形状の内輪の間のフィルターを有するドーナッツ形状であり得る。
【０２２５】
塞栓防御デバイスは、第２のカテーテルの遠位端あるいは第１のカテーテルの個別のチャネルから伸びるかもしれない、その結果、塞栓防御デバイスの位置が第１のカテーテルの位置から独立して調節されうる。
【０２２６】
第１のカテーテルを送達する工程は、前記血管内の処置と無関係の第１のカテーテルの個別のチャネルを介して前記塞栓防御デバイスを送達することで同時に実行され得る。
【０２２７】
心臓の血管内の処置は、心臓弁の除去、人工弁の配置あるいは心臓弁の修復と関係する少なくとも１つの工程を含んでいるかもしれない。
【０２２８】
塞栓防御デバイスは大動脈弓から取り除かれた後、血管内処置がなされる。
【０２２９】
本発明は、特定の実施形態に関して上述された。しかしながら、上述した以外の実施形態は、本発明の範囲内で等しく可能である。上述されたものとはハードウェアまたはソフトウェアによって方法を行なう、異なる方法工程は、本発明の範囲内で提供されるかもしれない。本発明の異なる特徴および工程は記述されたもの以外の組合せで組み合わせられ得る。本発明の範囲は添付された特許請求の範囲によってのみ限定されている。
【図１】
2017516609.tif 000003
【図２】
2017516609.tif 000004
【図３】
2017516609.tif 000005
【図４】
2017516609.tif 000006
【図５】
2017516609.tif 000007
【図６】
2017516609.tif 000008
【図７】
2017516609.tif 000009
【図８】
2017516609.tif 000010
【図９Ａ】
2017516609.tif 000011
【図９Ｂ】
2017516609.tif 000012
【図１０】
2017516609.tif 000013
【図１１】
2017516609.tif 000014
【図１２】
2017516609.tif 000015
【図１３】
2017516609.tif 000016
【図１４】
2017516609.tif 000017
【図１５】
2017516609.tif 000018
【図１６ａ】
2017516609.tif 000019
【図１６ｂ】
2017516609.tif 000020
【図１６ｃ】
2017516609.tif 000021
【図１７ａ】
2017516609.tif 000022
【図１７ｂ】
2017516609.tif 000023
【図１７ｃ】
2017516609.tif 000024
【図１８ａ】
2017516609.tif 000025
【図１８ｂ】
2017516609.tif 000026
【図１８ｃ】
2017516609.tif 000027
【図１８ｄ】
2017516609.tif 000028
【図１８ｅ】
2017516609.tif 000029
【図１９】
2017516609.tif 000030
【図２０】
2017516609.tif 000031
【図２１】
2017516609.tif 000032
【図２２ａ】
2017516609.tif 000033
【図２２ｂ】
2017516609.tif 000034
【図２３ａ】
2017516609.tif 000035
【図２３ｂ】
2017516609.tif 000036
【図２３ｃ】
2017516609.tif 000037
【図２３ｄ】
2017516609.tif 000038
【国際調査報告】
2017516609.tif 000039
2017516609.tif 000040
2017516609.tif 000041
2017516609.tif 000042
2017516609.tif 000043